(57)【特許請求の範囲】
【請求項１】
無線通信システムにおいて動作する端末により実行される方法であって、
基地局から、サウンディング参照信号（ＳＲＳ）の伝送のための少なくとも１つのＳＲＳ資源に対するＳＲＳ資源設定情報を受信するステップと、
前記ＳＲＳの伝送に対するアンテナスイッチングに関連する保護区間が、前記少なくとも１つのＳＲＳ資源の内の１つのＳＲＳ資源に時間で隣接して設定されるか否かを決定するステップと、を含み、
前記保護区間が前記ＳＲＳ資源に時間で隣接して設定された場合、及び前記保護区間がＰＵＣＣＨを伝送するために使用される少なくとも１つのＰＵＣＣＨシンボルと時間で重複する場合、
ｉ）前記保護区間の設定は、前記ＰＵＣＣＨと前記保護区間との間の優先順位規則に関連して、前記ＳＲＳ資源の設定と同一であると見なされ、ｉｉ）前記ＰＵＣＣＨと前記保護区間との間の前記優先順位規則は、前記ＰＵＣＣＨと前記保護区間に時間で隣接する前記ＳＲＳ資源内の前記ＳＲＳとの間の優先順位規則と同一に設定され、ｉｉｉ）前記ＰＵＣＣＨが送信されるか否かは、前記ＰＵＣＣＨと前記保護区間との間の前記優先順位規則に基づいて決定される、方法。
【請求項２】
前記ＳＲＳ資源設定情報は、前記少なくとも１つのＳＲＳ資源の用途に関する情報を更に含み、
前記少なくとも１つのＳＲＳ資源の前記用途に基づいて、前記保護区間は、前記アンテナスイッチングのために設定される、請求項１に記載の方法。
【請求項３】
前記ＰＵＣＣＨは、チャネル状態情報（ＣＳＩ）報告またはビーム失敗復旧のためのものである、請求項１に記載の方法。
【請求項４】
前記ビーム失敗復旧のために設定される前記ＰＵＣＣＨに基づいて、前記ＰＵＣＣＨと重複するＳＲＳ資源及び保護区間は、ドロップされる、請求項３に記載の方法。
【請求項５】
前記保護区間のシンボル数は、前記ＳＲＳの伝送に対して設定されたサブキャリア間隔に基づいて設定される、請求項１に記載の方法。
【請求項６】
前記保護区間のシンボル数は、１または２である、請求項５に記載の方法。
【請求項７】
前記少なくとも１つのＳＲＳ資源を含むＳＲＳ資源集合は、前記ＳＲＳ資源設定情報により設定され、
前記保護区間に対する設定情報は、上位層シグナリングを介して、前記ＳＲＳ資源集合別に設定される、請求項１に記載の方法。
【請求項８】
前記保護区間に対する前記設定情報は、（ｉ）前記保護区間の開始位置インデックス、（ｉｉ）前記保護区間のシンボル数、又は（ｉｉｉ）前記ＳＲＳの伝送とそれに隣接した他のアップリンクチャネルの伝送との間に前記保護区間が設定されるか否かに関する情報の少なくとも１つを含む、請求項７に記載の方法。
【請求項９】
無線通信システムにおいて動作するよう構成された端末であって、
ＲＦユニットと、
少なくとも１つのプロセッサと、
前記少なくとも１つのプロセッサに動作可能に接続され、命令を格納する少なくとも１つのコンピュータメモリと、を含み、
前記少なくとも１つのプロセッサは、
基地局から、サウンディング参照信号（ＳＲＳ）の伝送のための少なくとも１つのＳＲＳ資源に対するＳＲＳ資源設定情報を受信し、
前記ＳＲＳの伝送に対するアンテナスイッチングに関連する保護区間が、前記少なくとも１つのＳＲＳ資源の内の１つのＳＲＳ資源に時間で隣接して設定されるか否かを決定するための上記命令を実行するように構成され、
前記保護区間が前記ＳＲＳ資源に時間で隣接して設定された場合、及び前記保護区間がＰＵＣＣＨを伝送するために使用される少なくとも１つのＰＵＣＣＨシンボルと時間で重複する場合、
ｉ）前記保護区間の設定は、前記ＰＵＣＣＨと前記保護区間との間の優先順位規則に関連して、前記ＳＲＳ資源の設定と同一であると見なされ、ｉｉ）前記ＰＵＣＣＨと前記保護区間との間の前記優先順位規則は、前記ＰＵＣＣＨと前記保護区間に時間で隣接する前記ＳＲＳ資源内の前記ＳＲＳとの間の優先順位規則と同一に設定され、ｉｉｉ）前記ＰＵＣＣＨが送信されるか否かは、前記ＰＵＣＣＨと前記保護区間との間の前記優先順位規則に基づいて決定される、端末。
【請求項１０】
前記ＳＲＳ資源設定情報は、前記少なくとも１つのＳＲＳ資源の用途に関する情報を更に含み、
前記少なくとも１つのＳＲＳ資源の前記用途に基づいて、前記保護区間は、前記アンテナスイッチングのために設定される、請求項９に記載の端末。
【請求項１１】
前記ＰＵＣＣＨは、チャネル状態情報（ＣＳＩ）報告またはビーム失敗復旧のためのものである、請求項９に記載の端末。
【請求項１２】
前記保護区間のシンボル数は、前記ＳＲＳの伝送に対して設定されたサブキャリア間隔に基づいて設定される、請求項９に記載の端末。
【請求項１３】
無線通信システムにおいて動作するよう構成された基地局であって、
ＲＦユニットと、
少なくとも１つのプロセッサと、
前記少なくとも１つのプロセッサに動作可能に接続され、命令を格納する少なくとも１つのコンピュータメモリと、を含み、
前記少なくとも１つのプロセッサは、
端末に、サウンディング参照信号（ＳＲＳ）の伝送を実行するための前記端末に対する少なくとも１つのＳＲＳ資源に対するＳＲＳ資源設定情報を伝送し、
前記ＳＲＳの伝送に対するアンテナスイッチングに関連する保護区間が、前記少なくとも１つのＳＲＳ資源の内の１つのＳＲＳ資源に時間で隣接して設定されるか否かを決定するための上記命令を実行するように構成され、
前記保護区間が前記ＳＲＳ資源に時間で隣接して設定された場合、及び前記保護区間がＰＵＣＣＨに対して使用される少なくとも１つのＰＵＣＣＨシンボルと時間で重複する場合、
ｉ）前記保護区間の設定は、前記ＰＵＣＣＨと前記保護区間との間の優先順位規則に関連して、前記ＳＲＳ資源の設定と同一であると見なされ、ｉｉ）前記ＰＵＣＣＨと前記保護区間との間の前記優先順位規則は、前記ＰＵＣＣＨと前記保護区間に時間で隣接する前記ＳＲＳ資源内の前記ＳＲＳとの間の優先順位規則と同一に設定され、ｉｉｉ）前記ＰＵＣＣＨが送信されるか否かは、前記ＰＵＣＣＨと前記保護区間との間の前記優先順位規則に基づいて決定される、基地局。
【請求項１４】
前記ＰＵＣＣＨと前記保護区間に時間で隣接する前記ＳＲＳ資源内の前記ＳＲＳとの間の前記優先順位規則は、
（ｉ）半−持続的ＣＳＩ報告のみを伝送する前記ＰＵＣＣＨと時間で重複する非周期的ＳＲＳに対し、前記端末は前記ＰＵＣＣＨを送信しない、
（ｉｉ）周期的ＣＳＩ報告のみを伝送する前記ＰＵＣＣＨと時間で重複する非周期的ＳＲＳに対し、前記端末は前記ＰＵＣＣＨを送信しない、
（ｉｉｉ）ＣＳＩ報告のみを伝送する前記ＰＵＣＣＨと時間で重複する半−持続的ＳＲＳに対し、前記端末は前記半−持続的ＳＲＳを送信しない、
（ｉｖ）ＣＳＩ報告のみを伝送する前記ＰＵＣＣＨと時間で重複する周期的ＳＲＳに対し、前記端末は前記周期的ＳＲＳを送信しない、
ように設定される、請求項１に記載の方法。
【請求項１５】
（ｉ）非周期的ＳＲＳを伴う前記ＳＲＳ資源と隣接し、半−持続的ＣＳＩ報告のみを伝送する前記ＰＵＣＣＨと時間で重複する前記保護区間に対し、前記端末は前記ＰＵＣＣＨを送信しない、
（ｉｉ）非周期的ＳＲＳを伴う前記ＳＲＳ資源と隣接し、周期的ＣＳＩ報告のみを伝送する前記ＰＵＣＣＨと時間で重複する前記保護区間に対し、前記端末は前記ＰＵＣＣＨを送信しない、
ように、前記ＰＵＣＣＨと前記保護区間との間の前記優先順位規則は、前記ＰＵＣＣＨと前記保護区間に時間で隣接する前記ＳＲＳ資源内の前記ＳＲＳとの間の前記優先順位規則と同一に設定される、請求項１４に記載の方法。
【発明の詳細な説明】
【技術分野】
【０００１】
本発明は、無線通信システムに関し、さらに詳細にサウンディング参照信号（ｓｏｕｎｄｉｎｇ  ｒｅｆｅｒｅｎｃｅ  ｓｉｇｎａｌ）を送受信するための方法及びこれを支援する装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり伝送率の画期的な増加、大幅増加した連結デバイス個数の収容、非常に低い端対端遅延（Ｅｎｄ−ｔｏ−Ｅｎｄ  Ｌａｔｅｎｃｙ）、高エネルギー効率を支援できなければならない。そのために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本明細書は、無線通信システムにおけるサウンディング参照信号（ｓｏｕｎｄｉｎｇ  ｒｅｆｅｒｅｎｃｅ  ｓｉｇｎａｌ、ＳＲＳ）を送受信する方法を提案する。
【０００５】
具体的に、本明細書は、前記ＳＲＳ送受信のための保護区間（ｇｕａｒｄ  ｐｅｒｉｏｄ）を設定及び／または指示する方法を提案する。
【０００６】
特に、ＳＲＳ送受信及び他のアップリンク伝送（例：ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）等）を考慮して、保護区間を設定及び／または指示する方法を提案する。
【０００７】
本発明で解決しようとする技術的課題は、以上で言及した技術的課題に限定されず、言及しないまた他の技術的課題は、下の記載から、本発明が属する技術分野で通常の知識を有する者に明確に理解される。
【課題を解決するための手段】
【０００８】
本発明の実施形態による無線通信システムにおける端末がサウンディング参照信号（ｓｏｕｎｄｉｎｇ  ｒｅｆｅｒｅｎｃｅ  ｓｉｇｎａｌ、ＳＲＳ）の伝送を行う方法であって、前記方法は、基地局から、前記ＳＲＳの伝送のための設定情報を受信するステップと、前記設定情報は、前記ＳＲＳの伝送のための一つ以上のＳＲＳ資源及び前記一つ以上のＳＲＳ資源の用途（ｕｓａｇｅ）に対する情報を含み、前記基地局に、前記一つ以上のＳＲＳ資源を利用して前記ＳＲＳの伝送を行うステップを含むものの、前記一つ以上のＳＲＳ資源と関連した保護区間（ｇｕａｒｄ  ｐｅｒｉｏｄ）が設定され、前記保護区間と前記端末に対して設定された特定アップリンクチャネル（ｕｐｌｉｎｋ  ｃｈａｎｎｅｌ）の送信が重複（ｏｖｅｒｌａｐ）される場合、前記保護区間と前記特定アップリンクチャネルとの間の優先順位（ｐｒｉｏｒｉｔｙ）は、前記ＳＲＳと前記特定アップリンクチャネルとの間の優先順位と同一に設定されることができる。
【０００９】
また、本発明の実施形態による前記方法において、前記用途がアンテナスイッチング（ａｎｔｅｎｎａ  ｓｗｉｔｃｈｉｎｇ）として設定された場合、前記保護区間は、前記アンテナスイッチングのために設定されることができる。
【００１０】
また、本発明の実施形態による前記方法において、前記特定アップリンクチャネルは、チャネル状態情報（ｃｈａｎｎｅｌ  ｓｔａｔｅ  ｉｎｆｏｒｍａｔｉｏｎ、ＣＳＩ）報告またはビーム失敗復旧（ｂｅａｍ  ｆａｉｌｕｒｅ  ｒｅｖｏｃｅｒ ）のためのＰＵＣＣＨ（Ｐｈｙｓｉｃａｌ  Ｕｐｌｉｎｋ  Ｃｏｎｔｒｏｌ  Ｃｈａｎｎｅｌ）でありうる。
【００１１】
また、本発明の実施形態による前記方法において、前記ＰＵＣＣＨがビーム失敗復旧のために設定されたことである場合、前記ＰＵＣＣＨと重なるＳＲＳ資源及び保護区間は、ドロップ（ｄｒｏｐ）されることができる。
【００１２】
また、本発明の実施形態による前記方法において、前記保護区間のシンボル数は、前記ＳＲＳの伝送に対して設定されたサブキャリア間隔（ｓｕｂｃａｒｒｉｅｒ  ｓｐａｃｉｎｇ）を考慮して設定されることができる。
【００１３】
また、本発明の実施形態による前記方法において、前記保護区間のシンボル数は、１または２でありうる。
【００１４】
また、本発明の実施形態による前記方法において、前記保護区間に対する設定情報は、上位層シグナリング（ｈｉｇｈｅｒ  ｌａｙｅｒ  ｓｉｇｎａｌｉｎｇ）を介してＳＲＳ資源集合（ＳＲＳ  ｒｅｓｏｕｒｃｅ  ｓｅｔ）別に設定されることができる。
【００１５】
また、本発明の実施形態による前記方法において、前記保護区間に対する設定情報は、前記保護区間の開始位置インデックス（ｓｔａｒｔｉｎｇ  ｐｏｓｉｔｉｏｎ  ｉｎｄｅｘ）、前記保護区間のシンボル数及び／または前記ＳＲＳの伝送と隣接した他のアップリンクチャネルの伝送との間に前記保護区間が設定されるかどうかを表す情報を含むことができる。
【００１６】
また、本発明の実施形態による前記方法において、前記保護区間が設定されない場合、前記端末は、前記保護区間以前のアップリンク伝送と前記保護区間以後のアップリンク伝送を同じ伝送ビーム（ｔｒａｎｓｍｉｓｓｉｏｎ  ｂｅａｍ）を利用して行うように設定されることができる。
【００１７】
また、本発明の実施形態による前記方法において、前記伝送ビームは、ＳＲＳ資源指示子（ＳＲＳ  ｒｅｓｏｕｒｃｅ  Ｉｎｄｉｃａｔｏｒ、ＳＲＩ）及び／または送信プリコーダー行列指示子（ｔｒａｎｓｍｉｔ  Ｐｒｅｃｏｄｅｒ  Ｍａｔｒｉｘ  Ｉｎｄｉｃａｔｏｒ、ＴＰＭＩ）により指示されることができる。
【００１８】
また、本発明の実施形態による無線通信システムにおけるサウンディング参照信号（ｓｏｕｎｄｉｎｇ  ｒｅｆｅｒｅｎｃｅ  ｓｉｇｎａｌ、ＳＲＳ）の送信を行う端末であって、前記端末は、無線信号を送受信するためのＲＦ（Ｒａｄｉｏ  Ｆｒｅｑｕｅｎｃｙ）ユニットと、前記ＲＦユニットと機能的に接続しているプロセッサとを含み、前記プロセッサは、基地局から、前記ＳＲＳの伝送のための設定情報を受信し、前記基地局に、前記一つ以上のＳＲＳ資源を利用して前記ＳＲＳの伝送を行うように制御するものの、前記設定情報は、前記ＳＲＳの伝送のための一つ以上のＳＲＳ資源及び前記一つ以上のＳＲＳ資源の用途（ｕｓａｇｅ）に対する情報を含み、前記一つ以上のＳＲＳ資源と関連した保護区間（ｇｕａｒｄ  ｐｅｒｉｏｄ）が設定され、前記保護区間と前記端末に対して設定された特定アップリンクチャネル（ｕｐｌｉｎｋ  ｃｈａｎｎｅｌ）の送信が重複（ｏｖｅｒｌａｐ）される場合、前記保護区間と前記特定アップリンクチャネル間の優先順位（ｐｒｉｏｒｉｔｙ）は、前記ＳＲＳと前記特定アップリンクチャネル間の優先順位と同様に設定されることができる。
【００１９】
また、本発明の実施形態による前記端末において、前記用途がアンテナスイッチング（ａｎｔｅｎｎａ  ｓｗｉｔｃｈｉｎｇ）として設定された場合、前記保護区間は、前記アンテナスイッチングのために設定されることができる。
【００２０】
また、本発明の実施形態による前記端末において、前記特定アップリンクチャネルは、チャネル状態情報（ｃｈａｎｎｅｌ  ｓｔａｔｅ  ｉｎｆｏｒｍａｔｉｏｎ、ＣＳＩ）報告またはビーム失敗復旧（ｂｅａｍ  ｆａｉｌｕｒｅ  ｒｅｖｏｃｅｒ）のためのＰＵＣＣＨ（Ｐｈｙｓｉｃａｌ  Ｕｐｌｉｎｋ  Ｃｏｎｔｒｏｌ  Ｃｈａｎｎｅｌ）でありうる。
【００２１】
また、本発明の実施形態による前記端末において、前記保護区間のシンボル数は、前記ＳＲＳの伝送に対して設定されたサブキャリア間隔（ｓｕｂｃａｒｒｉｅｒ  ｓｐａｃｉｎｇ）を考慮して設定されることができる。
【００２２】
本発明の実施形態による無線通信システムにおけるサウンディング参照信号（ｓｏｕｎｄｉｎｇ  ｒｅｆｅｒｅｎｃｅ  ｓｉｇｎａｌ、ＳＲＳ）の受信を行う基地局であって、前記基地局は、無線信号を送受信するためのＲＦ（Ｒａｄｉｏ  Ｆｒｅｑｕｅｎｃｙ）ユニットと、前記ＲＦユニットと機能的に接続しているプロセッサとを含み、前記プロセッサは、端末に、前記ＳＲＳの伝送のための設定情報を伝送し、端末から、一つ以上のＳＲＳ資源を利用して前記ＳＲＳの受信を行うように制御するものの、前記設定情報は、前記ＳＲＳの伝送のための一つ以上のＳＲＳ資源及び前記一つ以上のＳＲＳ資源の用途（ｕｓａｇｅ）に対する情報を含み、前記一つ以上のＳＲＳ資源と関連した保護区間（ｇｕａｒｄ  ｐｅｒｉｏｄ）が設定され、前記保護区間と前記端末に対して設定された特定アップリンクチャネル（ｕｐｌｉｎｋ  ｃｈａｎｎｅｌ）の送信が重複（ｏｖｅｒｌａｐ）される場合、前記保護区間と前記特定アップリンクチャネル間の優先順位（ｐｒｉｏｒｉｔｙ）は、前記ＳＲＳと前記特定アップリンクチャネル間の優先順位と同様に設定されることができる。
【発明の効果】
【００２３】
本発明の実施形態によってアンテナスイッチング（ａｎｔｅｎｎａ  ｓｗｉｔｃｈｉｎｇ）が適用されるＳＲＳ送受信と他のアップリンク伝送が隣接して行われる場合にも、保護区間を介して端末が効率的なアップリンク伝送を行うことができるという効果がある。
【００２４】
また、本発明の実施形態による保護区間設定及び優先順位設定によって、ＳＲＳ資源間の衝突が発生して、アップリンク伝送が歪まれる現象を防止できるという効果がある。
【００２５】
本発明で得られる効果は、以上で言及した効果に制限されず、言及しないまた他の効果は以下の記載から、本発明が属する技術分野で通常の知識を有する者に明確に理解される。
【図面の簡単な説明】
【００２６】
本発明に関する理解を助けるために詳細な説明の一部として含まれる添付図面は、本発明に対する実施形態を提供し、詳細な説明と共に本発明の技術的特徴を説明する。
【００２７】
【図１】本明細書で提案する方法が適用できるＮＲの全体的なシステム構造の一例を示す。
【図２】本明細書で提案する方法が適用できる無線通信システムにおけるアップリンクフレームとダウンリンクフレームとの間の関係を示す。
【図３】ＮＲシステムにおけるフレーム構造の一例を示す。
【図４】本明細書で提案する方法が適用できるアンテナポート及びヌメロロジー（ｎｕｍｅｒｏｌｏｇｙ）別の資源グリッドの例を示す。
【図５】本明細書で提案する方法が適用できるｓｅｌｆ−ｃｏｎｔａｉｎｅｄ  ｓｌｏｔ構造の一例を示した図である。
【図６】本明細書で提案する方法が適用できるｓｅｌｆ−ｃｏｎｔａｉｎｅｄ構造の一例を示す。
【図７】本発明が適用されうる無線通信システムにおけるトランシーバーユニットモデルを例示する。
【図８】ＴＸＲＵ及び物理的アンテナ観点でのハイブリッドビーム形成構造に対した一例を示す。
【図９】同期信号とシステム情報に対するビームスイーピング動作の一例を示す。
【図１０】ＳＲＳホッピングパターンを設定する方法の一例を示す。
【図１１】ＵＬグラントに対する送信オフセットとＳＲＳトリガーリングオフセットを考慮したアップリンク伝送の一例を示す。
【図１２】本明細書において提案する方法が適用されうるＰＵＳＣＨ伝送及びＳＲＳ伝送の一例を示す。
【図１３】本明細書において提案する方法が適用されうるＰＵＳＣＨ伝送及びＳＲＳ伝送の他の例を示す。
【図１４】本明細書において提案する方法が適用されうるＰＵＳＣＨ伝送及びＳＲＳ伝送の他の例を示す。
【図１５】本発明において提案する方法が適用されうるＰＵＣＣＨ伝送及びＳＲＳ伝送方法のさらに他の例を示す。
【図１６】本明細書において提案する方法が適用されうるＰＵＳＣＨ伝送、ＰＵＣＣＨ伝送及びＳＲＳ伝送方法の一例を示す。
【図１７】本明細書において提案する方法が適用されうる無線通信システムにおいてＳＲＳの伝送を行う端末の動作フローチャートの一例を示す。
【図１８】本明細書において提案する方法が適用されうる無線通信システムにおいてＳＲＳの受信を行う基地局の動作フローチャートの一例を示す。
【図１９】本明細書において提案する方法が適用されうる無線通信装置のブロック構成図を例示する。
【図２０】本発明の一実施形態による通信装置のブロック構成図を例示する。
【図２１】本明細書において提案する方法が適用されうる無線通信装置のＲＦモジュールの一例を示した図である。
【図２２】本明細書において提案する方法が適用されうる無線通信装置のＲＦモジュールのさらに他の一例を示した図である。
【発明を実施するための形態】
【００２８】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２９】
幾つかの場合、本発明の概念が曖昧になることを避けるために公知の構造及び装置は省略されるか、または各構造及び装置の核心機能を中心としたブロック図形式に図示できる。
【００３０】
本明細書で、基地局は端末と直接的に通信を行うネットワークの終端ノード（ｔｅｒｍｉｎａｌ  ｎｏｄｅ）としての意味を有する。本文書で、基地局により行われるものとして説明された特定動作は、場合によっては、基地局の上位ノード（ｕｐｐｅｒ  ｎｏｄｅ）により行われることもできる。即ち、基地局を含む複数のネットワークノード（ｎｅｔｗｏｒｋ  ｎｏｄｅｓ）からなるネットワークで、端末との通信のために行われる多様な動作は基地局または基地局以外の他のネットワークノードにより行うことができることは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｎｅｘｔ  ｇｅｎｅｒａｔｉｏｎ  ＮＢ、ｇｅｎｅｒａｌ  ＮＢ、ｇＮｏｄｅＢ）などの用語により取替できる。また、「端末（Ｔｅｒｍｉｎａｌ）」は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に取替できる。
【００３１】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３２】
以下の説明で使われる特定用語は本発明の理解を助けるために提供されたものであり、このような特定用語の使用は本発明の技術的思想を逸脱しない範囲で異なる形態に変更できる。
【００３３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（Ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  Ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  Ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３４】
本発明の実施形態は無線接続システムであるＩＥＥＥ  ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３５】
説明を明確にするために、３ＧＰＰ  ＬＴＥ／ＬＴＥ−Ａ／ＮＲ（Ｎｅｗ  ＲＡＴ）を中心として技術するが、本発明の技術的特徴がこれに制限されるものではない。
【００３６】
スマートフォン（ｓｍａｒｔｐｈｏｎｅ）及びＩｏＴ（Ｉｎｔｅｒｎｅｔ  Ｏｆ  Ｔｈｉｎｇｓ）端末の普及が急速に拡散することによって、通信網を介してやり取りする情報の量が増加している。これに伴って、次世代無線アクセス技術では、既存の通信システム（又は既存の無線アクセス技術（ｒａｄｉｏ  ａｃｃｅｓｓ  ｔｅｃｈｎｏｌｏｇｙ））よりもさらに多くのユーザに、より早くサービスを提供する環境（例：向上した移動広帯域通信（ｅｎｈａｎｃｅｄ  ｍｏｂｉｌｅ  ｂｒｏａｄｂａｎｄ  ｃｏｍｍｕｎｉｃａｔｉｏｎ））が考慮される必要がある。
【００３７】
このため、多数の機器及び物（ｏｂｊｅｃｔ）を連結してサービスを提供するＭＴＣ（Ｍａｃｈｉｎｅ  Ｔｙｐｅ  Ｃｏｍｍｕｎｉｃａｔｉｏｎ）を考慮する通信システムのデザインが議論されている。また、通信の信頼性（ｒｅｌｉａｂｉｌｉｔｙ）及び／又は遅延（ｌａｔｅｎｃｙ）に敏感なサービス（ｓｅｒｖｉｃｅ）及び／又は端末（ｔｅｒｍｉｎａｌ）等を考慮する通信システム（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）のデザインも議論されている。
【００３８】
以下、本明細書において、説明の便宜のために、前記次世代無線アクセス技術はＮＲ（Ｎｅｗ  ＲＡＴ、Ｒａｄｉｏ  Ａｃｃｅｓｓ  Ｔｅｃｈｎｏｌｏｇｙ）と称され、前記ＮＲが適用される無線通信システムはＮＲシステムと称される。
【００３９】
用語の定義
【００４０】
ｅＬＴＥ  ｅＮＢ：ｅＬＴＥ  ｅＮＢは、ＥＰＣ  及びＮＧＣに対する連結を支援するｅＮＢの進化（ｅｖｏｌｕｔｉｏｎ）である。
【００４１】
ｇＮＢ：ＮＧＣとの連結だけでなく、ＮＲを支援するノード。
【００４２】
新たなＲＡＮ：ＮＲまたはＥ−ＵＴＲＡを支援するか、またはＮＧＣと相互作用する無線アクセスネットワーク。
【００４３】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００４４】
ネットワーク機能（ｎｅｔｗｏｒｋ  ｆｕｎｃｔｉｏｎ）：ネットワーク機能は、よく定義された外部インターフェースとよく定義された機能的動作を有するネットワークインフラ内での論理的ノード。
【００４５】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御平面インターフェース。
【００４６】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザ平面インターフェース。
【００４７】
非独立型（Ｎｏｎ−ｓｔａｎｄａｌｏｎｅ）ＮＲ：ｇＮＢがＬＴＥ  ｅＮＢをＥＰＣに制御プレーン連結のためのアンカーとして要求するか、またはｅＬＴＥ  ｅＮＢをＮＧＣに制御プレーン連結のためのアンカーとして要求する配置構成。
【００４８】
非独立型Ｅ−ＵＴＲＡ：ｅＬＴＥ  ｅＮＢがＮＧＣに制御プレーン連結のためのアンカーとしてｇＮＢを要求する配置構成。
【００４９】
ユーザ平面ゲートウェイ：ＮＧ−Ｕインターフェースの終端点。
【００５０】
システム一般
【００５１】
図１は、本明細書で提案する方法が適用できるＮＲの全体的なシステム構造の一例を示す。
【００５２】
図１を参照すると、ＮＧ−ＲＡＮはＮＧ−ＲＡユーザ平面（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対する制御平面（ＲＲＣ）プロトコル終端を提供するｇＮＢで構成される。
【００５３】
前記ｇＮＢは、Ｘｎインターフェースを通じて相互連結される。
【００５４】
また、前記ｇＮＢは、ＮＧインターフェースを通じてＮＧＣに連結される。
【００５５】
より具体的には、前記ｇＮＢはＮ２インターフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを通じてＵＰＦ（Ｕｓｅｒ  Ｐｌａｎｅ  Ｆｕｎｃｔｉｏｎ）に連結される。
【００５６】
ＮＲ（Ｎｅｗ  Ｒａｔ）ヌメロロジー（Ｎｕｍｅｒｏｌｏｇｙ）及びフレーム（ｆｒａｍｅ）構造
【００５７】
ＮＲシステムでは、複数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。この際、複数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立的に選択できる。
【００５８】
また、ＮＲシステムでは複数のヌメロロジーに従う多様なフレーム構造が支援できる。
【００５９】
また、各サービス（例：ｅＭＢＢ、ＵＲＬＬＣ、ｍＭＴＣ等）とシナリオ（例：ｈｉｇｈ  ｓｐｅｅｄ等）によって時間／周波数細分性（ｇｒａｎｕｌａｒｉｔｙ）がダイナミック（ｄｙｎａｍｉｃ）に割り当てられる構造でヌメロロジーが設定されることができる。
【００６０】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００６１】
ＮＲシステムで支援される複数のＯＦＤＭヌメロロジーは、表１のように定義できる。
【００６２】
【表１】
0006878694.tif 000002
【００６３】
ＮＲシステムにおけるフレーム構造（ｆｒａｍｅ  ｓｔｒｕｃｔｕｒｅ）と関連して、時間領域の多様なフィールドのサイズは
0006878694.tif 000003
の時間単位の倍数として表現される。ここで、
0006878694.tif 000004
であり、
0006878694.tif 000005
である。ダウンリンク（ｄｏｗｎｌｉｎｋ）及びアップリンク（ｕｐｌｉｎｋ）伝送は
0006878694.tif 000006
の区間を有する無線フレーム（ｒａｄｉｏ  ｆｒａｍｅ）で構成される。ここで、無線フレームは各々
0006878694.tif 000007
の区間を有する１０個のサブフレーム（ｓｕｂｆｒａｍｅ）で構成される。この場合、アップリンクに対する１セットのフレーム及びダウンリンクに対する１セットのフレームが存在することができる。
【００６４】
図２は、本明細書で提案する方法が適用できる無線通信システムにおけるアップリンクフレームとダウンリンクフレームとの間の関係を示す。
【００６５】
図２に示すように、端末（Ｕｓｅｒ  Ｅｑｕｉｐｍｅｎｔ、ＵＥ）からのアップリンクフレーム番号ｉの伝送は、該当端末での該当ダウンリンクフレームの開始より
0006878694.tif 000008
以前に始めなければならない。
【００６６】
ヌメロロジーμに対して、スロット（ｓｌｏｔ）はサブフレーム内で
0006878694.tif 000009
の増加する順に番号が付けられて、無線フレーム内で
0006878694.tif 000010
の増加する順に番号が付けられる。１つのスロットは
0006878694.tif 000011
の連続するＯＦＤＭシンボルで構成され、
0006878694.tif 000012
は用いられるヌメロロジー及びスロット設定（ｓｌｏｔ  ｃｏｎｆｉｇｕｒａｔｉｏｎ）によって決定される。サブフレームでスロット
0006878694.tif 000013
の開始は同一サブフレームでＯＦＤＭシンボル
0006878694.tif 000014
の開始と時間的に整列される。
【００６７】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００６８】
表２は、一般（ｎｏｒｍａｌ）ＣＰでスロット別ＯＦＤＭシンボルの個数
0006878694.tif 000015
無線フレーム別スロットの個数
0006878694.tif 000016
サブフレーム別スロットの個数
0006878694.tif 000017
を表し、表３は、拡張（ｅｘｔｅｎｄｅｄ）ＣＰでスロット別ＯＦＤＭシンボルの個数、無線フレーム別スロットの個数、サブフレーム別スロットの個数を表す。
【００６９】
【表２】
0006878694.tif 000018
【００７０】
【表３】
0006878694.tif 000019
【００７１】
図３は、ＮＲシステムにおけるフレーム構造の一例を示す。図３は単に説明の便宜のためのものであるだけで、本発明の範囲を制限するものではない。
【００７２】
表３の場合、μ＝２である場合、即ち、サブキャリア間隔（ｓｕｂｃａｒｒｉｅｒ  ｓｐａｃｉｎｇ、ＳＣＳ）が６０ｋＨｚである場合の一例であって、表２を参考すると、１サブフレーム（又はフレーム）は４個のスロットを含むことができ、図３に示された１サブフレーム＝｛１、２、４｝スロットは一例であって、１サブフレームに含まれることができるスロットの個数は表２のように定義され得る。
【００７３】
また、ミニ−スロット（ｍｉｎｉ−ｓｌｏｔ）は２、４又は７シンボル（ｓｙｍｂｏｌ）で構成されてもよく、より多いか又はより少ないシンボルで構成されてもよい。
【００７４】
ＮＲシステムにおける物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮できる。
【００７５】
以下、ＮＲシステムで考慮できる前記物理資源に対して具体的に説明する。
【００７６】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にあるといえる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００７７】
図４は、本明細書で提案する方法が適用できる無線通信システムで支援する資源グリッド（ｒｅｓｏｕｒｃｅ  ｇｒｉｄ）の一例を示す。
【００７８】
図４を参考すると、資源グリッドが周波数領域上に
0006878694.tif 000020
サブキャリアで構成され、１つのサブフレームが１４・２μＯＦＤＭシンボルで構成されることを例示的に記述するが、これに限定されるものではない。
【００７９】
ＮＲシステムにおいて、伝送される信号（ｔｒａｎｓｍｉｔｔｅｄ  ｓｉｇｎａｌ）は、
0006878694.tif 000021
サブキャリアで構成される一つまたはそれ以上の資源グリッド及び
0006878694.tif 000022
のＯＦＤＭシンボルによって説明される。ここで、
0006878694.tif 000023
である。前記
0006878694.tif 000024
は、最大伝送帯域幅を示し、これは、ヌメロロジーだけでなく、アップリンクとダウンリンクの間でも異なることができる。
【００８０】
この場合、図５のように、ヌメロロジーμ及びアンテナポートｐごとに１つの資源グリッドが設定されることができる。
【００８１】
図５は、本明細書で提案する方法が適用できるアンテナポート及びヌメロロジー別の資源グリッドの例を示す。
【００８２】
ヌメロロジーμ
及びアンテナポートｐに対する資源グリッドの各要素は、資源要素（ｒｅｓｏｕｒｃｅ  ｅｌｅｍｅｎｔ）と呼ばれており、インデックス対
0006878694.tif 000025
によって固有的に識別される。ここで、
0006878694.tif 000026
は、周波数領域上のインデックスであり、
0006878694.tif 000027
は、サブフレーム内でシンボルの位置を称する。スロットで資源要素を称するときは、インデックス対
0006878694.tif 000028
が利用される。ここで、
0006878694.tif 000029
である。
【００８３】
ヌメロロジーμ及びアンテナポートｐに対する資源要素
0006878694.tif 000030
は、複素値（ｃｏｍｐｌｅｘ  ｖａｌｕｅ）
0006878694.tif 000031
に該当する。混同（ｃｏｎｆｕｓｉｏｎ）になる危険性がない場合、あるいは、特定のアンテナポートまたはヌメロロジーが特定されない場合には、インデックスｐ及びμはドロップ（ｄｒｏｐ）されることができ、その結果、複素値は
0006878694.tif 000032
または
0006878694.tif 000033
になることがある。
【００８４】
また、物理資源ブロック（ｐｈｙｓｉｃａｌ  ｒｅｓｏｕｒｃｅ  ｂｌｏｃｋ）は周波数領域上の
0006878694.tif 000034
の連続的なサブキャリアで定義される。
【００８５】
Ｐｏｉｎｔ  Ａは資源ブロックグリッドの共通参照点（ｃｏｍｍｏｎ  ｒｅｆｅｒｅｎｃｅ  ｐｏｉｎｔ）としての役割をし、次のように獲得されることができる。
【００８６】
−  ＰＣｅｌｌダウンリンクに対するｏｆｆｓｅｔＴｏＰｏｉｎｔＡは、初期セルの選択のためにＵＥによって使用されたＳＳ／ＰＢＣＨブロックと重なる最も低い資源ブロックの最も低いサブキャリアとｐｏｉｎｔ  Ａ間の周波数オフセットを示し、ＦＲ１に対して１５ｋＨｚのサブキャリア間隔及びＦＲ２に対して６０ｋＨｚのサブキャリア間隔を仮定したリソースブロック単位（ｕｎｉｔ）で表現され；
【００８７】
−  ａｂｓｏｌｕｔｅＦｒｅｑｕｅｎｃｙＰｏｉｎｔＡはＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）のように表現されたｐｏｉｎｔ  Ａの周波数−位置を示す。
【００８８】
共通資源ブロック（ｃｏｍｍｏｎ  ｒｅｓｏｕｒｃｅ  ｂｌｏｃｋ）はサブキャリア間隔の設定μに対する周波数領域で０から上方にナンバリング（ｎｕｍｂｅｒｉｎｇ）される。
【００８９】
サブキャリア間隔の設定μに対する共通資源ブロック０のサブキャリア０の中心は「ｐｏｉｎｔ  Ａ」と一致する。周波数領域で共通資源ブロックの番号（ｎｕｍｂｅｒ）
0006878694.tif 000035
とサブキャリア間隔の設定μに対する資源要素（ｋ、ｌ）は下記数式１のように与えられ得る。
【００９０】
【数１】
0006878694.tif 000036
【００９１】
ここで、
0006878694.tif 000037
がｐｏｉｎｔ  Ａを中心とするサブキャリアに該当するようにｐｏｉｎｔ  Ａに相対的に定義され得る。物理資源ブロックは帯域幅部分（ｂａｎｄｗｉｄｔｈ  ｐａｒｔ、ＢＷＰ）内で０から
0006878694.tif 000038
まで番号がづけられ、ｉはＢＷＰの番号である。ＢＷＰ  ｉで物理資源ブロック
0006878694.tif 000039
と共通資源ブロック
0006878694.tif 000040
間の関係は、下記数式２によって与えられ得る。
【００９２】
【数２】
0006878694.tif 000041
【００９３】
ここで、
0006878694.tif 000042
はＢＷＰが共通資源ブロック０に相対的に始める共通資源ブロックであり得る。
【００９４】
自己完結型（Ｓｅｌｆ−ｃｏｎｔａｉｎｅｄ）構造
【００９５】
ＮＲシステムで考慮されるＴＤＤ（Ｔｉｍｅ  Ｄｉｖｉｓｉｏｎ  Ｄｕｐｌｅｘｉｎｇ）構造は、アップリンク（Ｕｐｌｉｎｋ、ＵＬ）とダウンリンク（Ｄｏｗｎｌｉｎｋ、ＤＬ）を一つのスロット（ｓｌｏｔ）（又はサブフレーム（ｓｕｂｆｒａｍｅ））で全て処理する構造である。これは、ＴＤＤシステムでデータ伝送の遅延（ｌａｔｅｎｃｙ）を最小化するためのものであり、前記構造は自己完結型（ｓｅｌｆ−ｃｏｎｔａｉｎｅｄ）構造又は自己完結型（ｓｅｌｆ−ｃｏｎｔａｉｎｅｄ）スロットと称され得る。
【００９６】
図６は、本明細書で提案する方法が適用できる自己完結型（ｓｅｌｆ−ｃｏｎｔａｉｎｅｄ）構造の一例を示す。図５は単に説明の便宜のためのものであるだけで、本発明の範囲を制限するものではない。
【００９７】
図６を参考すると、ｌｅｇａｃｙ  ＬＴＥの場合のように、一つの送信単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）で構成される場合が仮定される。
【００９８】
図６において、領域６０２はダウンリンク制御領域（ｄｏｗｎｌｉｎｋ  ｃｏｎｔｒｏｌ  ｒｅｇｉｏｎ）を意味し、領域６０４はアップリンク制御領域（ｕｐｌｉｎｋ  ｃｏｎｔｒｏｌ  ｒｅｇｉｏｎ）を意味する。また、領域６０２及び領域６０４以外の領域（即ち、別途の表示がない領域）は、ダウンリンクデータ（ｄｏｗｎｌｉｎｋ  ｄａｔａ）又はアップリンクデータ（ｕｐｌｉｎｋ  ｄａｔａ）の送信のために用いられ得る。
【００９９】
即ち、アップリンク制御情報（ｕｐｌｉｎｋ  ｃｏｎｔｒｏｌ  ｉｎｆｏｒｍａｔｉｏｎ）及びダウンリンク制御情報（ｄｏｗｎｌｉｎｋ  ｃｏｎｔｒｏｌ  ｉｎｆｏｒｍａｔｉｏｎ）は一つの自己完結型（ｓｅｌｆ−ｃｏｎｔａｉｎｅｄ）スロットで送信されることができる。これに対し、データ（ｄａｔａ）の場合、アップリンクデータ又はダウンリンクデータが一つの自己完結型（ｓｅｌｆ−ｃｏｎｔａｉｎｅｄ）スロットで送信されることができる。
【０１００】
図６に示された構造を用いる場合、一つの自己完結型（ｓｅｌｆ−ｃｏｎｔａｉｎｅｄ）スロット内で、ダウンリンク送信とアップリンク送信が順次進められ、ダウンリンクデータの送信及びアップリンクＡＣＫ／ＮＡＣＫの受信が行われ得る。
【０１０１】
結果、データ伝送のエラーが発生する場合、データの再電送までかかる時間が減少しうる。これを通じて、データ伝達に関する遅延が最小化し得る。
【０１０２】
図６のような自己完結型（ｓｅｌｆ−ｃｏｎｔａｉｎｅｄ）スロット構造で、基地局（ｅＮｏｄｅＢ、ｅＮＢ、ｇＮＢ）及び／又は端末（ｔｅｒｍｉｎａｌ、ＵＥ（Ｕｓｅｒ  Ｅｑｕｉｐｍｅｎｔ））が送信モード（ｔｒａｎｓｍｉｓｓｉｏｎ  ｍｏｄｅ）から受信モード（ｒｅｃｅｐｔｉｏｎ  ｍｏｄｅ）へ切り換える過程又は受信モードから送信モードへ切り換える過程のための時間ギャップ（ｔｉｍｅ  ｇａｐ）が要求される。前記時間ギャップに関して、前記自己完結型（ｓｅｌｆ−ｃｏｎｔａｉｎｅｄ）スロットでダウンリンク送信以降にアップリンク送信が行われる場合、一部ＯＦＤＭシンボルが保護区間（Ｇｕａｒｄ  Ｐｅｒｉｏｄ、ＧＰ）に設定され得る。
【０１０３】
ＮＲシステムでのＰＵＣＣＨフォーマット
【０１０４】
ＮＲシステムでは、期間（ｄｕｒａｔｉｏｎ）及び／またはペイロード大きさ（ｐａｙｌｏａｄ  ｓｉｚｅ）によって多数のＰＵＣＣＨフォーマットが定義されうる。一例として、以下の表４は、ＮＲシステムにおいて考慮されるＰＵＣＣＨフォーマットを示す。
【０１０５】
【表４】
0006878694.tif 000043
【０１０６】
表４を参考にすると、フォーマット０及びフォーマット２は、短いＰＵＣＣＨ（ｓｈｏｒｔ  ＰＵＣＣＨ）に分類され、フォーマット１、フォーマット３及びフォーマット４は、長いＰＵＣＣＨ（ｌｏｎｇ  ＰＵＣＣＨ）に分類されることができる。ＮＲシステムでは、ＰＵＣＣＨに対した伝送ダイバーシチ方式（ｔｒａｎｓｍｉｔ  ｄｉｖｅｒｓｉｔｙ  ｓｃｈｅｍｅ）及びＰＵＳＣＨとＰＵＣＣＨの同時伝送（ｓｉｍｕｌｔａｎｅｏｕｓ  ｔｒｎａｍｉｓｓｉｏｎ）が支援されないことができる。
【０１０７】
ＮＲアンテナスイッチング（ＮＲ  ａｎｔｅｎｎａ  ｓｗｉｔｃｈｉｎｇ）
【０１０８】
ＮＲシステムは、ｉｎｔｅｒ−ｓｌｏｔアンテナスイッチング及びｉｎｔｒａ−ｓｌｏｔアンテナスイッチングを支援できる。Ｉｎｔｒａ−ｓｌｏｔアンテナスイッチングの場合、保護区間（ｇｕａｒｄ  ｐｅｒｉｏｄ）が設定されることができる。
【０１０９】
１Ｔ２Ｒ（１  ｔａｎｓｍｉｓｓｉｏｎ  ２  ｒｅｃｅｐｔｉｏｎ）／２Ｔ４Ｒ（２  ｔａｎｓｍｉｓｓｉｏｎ  ４  ｒｅｃｅｐｔｉｏｎ）の場合、端末は、１個のシンボルまたは２個のシンボルで構成された二つのＳＲＳ資源で設定されることができる。反面、１Ｔ４Ｒ１  ｔａｎｓｍｉｓｓｉｏｎ  ４  ｒｅｃｅｐｔｉｏｎ）の場合、端末は、全部単一シンボル及び単一ポートである４個のＳＲＳ資源で設定されることができる。
【０１１０】
設定された資源の各ポートは、互いに異なる端末アンテナと関連することができる。
【０１１１】
アナログビーム形成（ａｎａｌｏｇ  ｂｅａｍｆｏｒｍｉｎｇ）
【０１１２】
ミリメートル波（Ｍｉｌｌｉｍｅｔｅｒ  Ｗａｖｅ、ｍｍＷ）では、波長が短くなって同一面積に多数のアンテナ要素（ａｎｔｅｎｎａ  ｅｌｅｍｅｎｔ）の設置が可能である。すなわち、３０ＧＨｚ帯域において波長は１ｃｍであって、４Ｘ４（４  ｂｙ  ４）ｃｍのパネル（ｐａｎｅｌ）に０．５ラムダ（ｌａｍｂｄａ）（すなわち、波長）間隔で２−次元配列形態で総６４（８ｘ８）のａｎｔｅｎｎａ  ｅｌｅｍｅｎｔ設置が可能である。したがって、ｍｍＷでは、多数のａｎｔｅｎｎａ  ｅｌｅｍｅｎｔを使用してビーム形成（ＢＦ：ｂｅａｍｆｏｒｍｉｎｇ）利得を高めてカバレッジを増加させるか、またはスループット（ｔｈｒｏｕｇｈｐｕｔ）を高めようとする。
【０１１３】
この場合に、ａｎｔｅｎｎａ  ｅｌｅｍｅｎｔ別に伝送パワー及び位相調節が可能なようにトランシバユニット（ＴＸＲＵ：Ｔｒａｎｓｃｅｉｖｅｒ  Ｕｎｉｔ）を有すると、周波数資源別に独立的なビーム形成が可能である。しかしながら、１００余個のａｎｔｅｎｎａ  ｅｌｅｍｅｎｔ全部にＴＸＲＵを設置するには、コスト面において実效性が落ちるという問題を有するようになる。したがって、一つのＴＸＲＵに多数のａｎｔｅｎｎａ  ｅｌｅｍｅｎｔをマッピングし、アナログ位相シフター（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において一つのｂｅａｍ方向だけを作ることができるから、周波数選択的ＢＦをすることができないという短所がある。
【０１１４】
デジタル（Ｄｉｇｉｔａｌ）ＢＦとａｎａｌｏｇ  ＢＦの中間形態でＱ個のａｎｔｅｎｎａ  ｅｌｅｍｅｎｔより少ない数であるＢ個のＴＸＲＵを有するハイブリッドビーム形成（ｈｙｂｒｉｄ  ＢＦ）を考慮することができる。この場合にＢ個のＴＸＲＵとＱ個のａｎｔｅｎｎａ  ｅｌｅｍｅｎｔの接続方式に応じて差はあるが、同時に送信できるｂｅａｍの方向は、Ｂ個以下に制限されるようになる。
【０１１５】
以下、図面を参照して、ＴＸＲＵとａｎｔｅｎｎａ  ｅｌｅｍｅｎｔの接続方式の代表的な一例を説明する。
【０１１６】
図７は、本発明が適用されうる無線通信システムにおいてトランシーバーユニットモデルを例示する。
【０１１７】
ＴＸＲＵ仮像化（ｖｉｒｔｕａｌｉｚａｔｉｏｎ）モデルは、ＴＸＲＵの出力信号とａｎｔｅｎｎａ  ｅｌｅｍｅｎｔｓの出力信号の関係を示す。ａｎｔｅｎｎａ  ｅｌｅｍｅｎｔとＴＸＲＵとの相関関係によって図７（ａ）のようにＴＸＲＵ仮像化（ｖｉｒｔｕａｌｉｚａｔｉｏｎ）モデルオプション−１：サブ−配列分割モデル（ｓｕｂ−ａｒｒａｙ  ｐａｒｔｉｔｉｏｎ  ｍｏｄｅｌ）と図７（ｂ）のようにＴＸＲＵ仮像化モデルオプション−２：全域接続（ｆｕｌｌ−ｃｏｎｎｅｃｔｉｏｎ）モデルに区分されることができる。
【０１１８】
図７（ａ）を参照すると、サブ−配列分割モデル（ｓｕｂ−ａｒｒａｙ  ｐａｒｔｉｔｉｏｎ  ｍｏｄｅｌ）の場合、ａｎｔｅｎｎａ  ｅｌｅｍｅｎｔは、多重のアンテナ要素グループに分割され、各ＴＸＲＵは、グループのうち、一つと接続される。この場合に、ａｎｔｅｎｎａ  ｅｌｅｍｅｎｔは、一つのＴＸＲＵだけに接続される。
【０１１９】
図７（ｂ）を参照すると、全域接続（ｆｕｌｌ−ｃｏｎｎｅｃｔｉｏｎ）モデルの場合、多重のＴＸＲＵの信号が結合されて、単一のアンテナ要素（またはアンテナ要素の配列）に伝達される。すなわち、ＴＸＲＵがすべてのアンテナｅｌｅｍｅｎｔに接続した方式を示す。この場合にアンテナｅｌｅｍｅｎｔは、すべてのＴＸＲＵに接続される。
【０１２０】
図７中ｑは、一つの列（ｃｏｌｕｍｎ）内のＭ個の同じ偏波（ｃｏ−ｐｏｌａｒｉｚｅｄ）を有するアンテナ要素の送信信号ベクトルである。ｗは、広帯域ＴＸＲＵ仮像化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、アナログ位相シフター（ａｎａｌｏｇ  ｐｈａｓｅ  ｓｈｉｆｔｅｒ）により掛け算される位相ベクトルを示す。すなわち、Ｗによりａｎａｌｏｇ  ｂｅａｍｆｏｒｍｉｎｇの方向が決定される。ｘは、Ｍ＿ＴＸＲＵ個のＴＸＲＵの信号ベクトルである。
【０１２１】
ここで、アンテナポートとＴＸＲＵとのマッピングは、一対一（１−ｔｏ−１）または一対多（１−ｔｏ−ｍａｎｙ）でありうる。
【０１２２】
図７においてＴＸＲＵとアンテナ要素間のマッピング（ＴＸＲＵ−ｔｏ−ｅｌｅｍｅｎｔ  ｍａｐｐｉｎｇ）は、一つの例示を示すことに過ぎず、本発明がこれに限定されるものではなく、ハードウェア観点においてこの他の多様な形態により具現化されうるＴＸＲＵとアンテナ要素との間のマッピングにも本発明が同様に適用されることができる。
【０１２３】
ハイブリッドビーム形成（Ｈｙｂｒｉｄ  ｂｅａｍｆｏｒｍｉｎｇ）
【０１２４】
ＮＲ（Ｎｅｗ  ＲＡＴ）システムでは、多数のアンテナが使用される場合、デジタルビーム形成（Ｄｉｇｉｔａｌ  ｂｅａｍｆｏｒｍｉｎｇ）とアナログビーム形成（Ａｎａｌｏｇ  ｂｅａｍｆｏｒｍｉｎｇ）を結合したハイブリッドビーム形成（Ｈｙｂｒｉｄ  ｂｅａｍｆｏｒｍｉｎｇ）技法が考慮されている。
【０１２５】
このとき、アナログビーム形成（またはＲＦビーム形成）は、ＲＦ端においてプレコーディング（Ｐｒｅｃｏｄｉｎｇ）（またはコンバイニング（Ｃｏｍｂｉｎｉｎｇ））を行う動作を意味できる。ハイブリッドビーム形成においてベースバンド（Ｂａｓｅｂａｎｄ）端とＲＦ端は、それぞれプレコーディング（またはコンバイニング）を行い、これによってＲＦチェーン数とＤ（Ｄｉｇｉｔａｌ）／Ａ（Ａｎａｌｏｇ）（またはＡ／Ｄ）コンバーター数を減らしながらもデジタルビーム形成に近接する性能を出すことができるという長所がある。
【０１２６】
ハイブリッドビーム形成構造は、Ｎ個のトランシバユニット（Ｔｒａｎｓｃｅｉｖｅｒ  ｕｎｉｔ、ＴＸＲＵ）とＭ個の物理的アンテナで表現されることができる。送信端において送信するＬ個のデータレイヤー（Ｄａｔａ  ｌａｙｅｒ）に対するデジタルビーム形成は、Ｎ  ｂｙ  Ｌ（ＮｘＬ）行列で表現されることができ、以後に変換されたＮ個のデジタル信号は、ＴＸＲＵを経てアナログ信号に変換された後、Ｍ  ｂｙ  Ｎ（ＭｘＮ）行列で表現されるアナログビーム形成が適用されることができる。
【０１２７】
図８は、ＴＸＲＵ及び物理的アンテナ観点でのハイブリッドビーム形成構造に対した一例を示す。
【０１２８】
図８を参考すると、デジタルビーム（Ｄｉｇｉｔａｌｂｅａｍ）の改修は、Ｌケ餌で、アナログビーム（Ａｎａｌｏｇｂｅａｍ）の改修は、Ｎ晴れた場合が仮定される。
【０１２９】
また、ＮＲシステムでは、基地局がアナログビーム形成をシンボル単位に変更できるように設計して特定の地域に位置した端末により効率的なビーム形成を支援する方法も考慮されている。それだけでなく、図８において特定Ｎ個のＴＸＲＵとＭ個のＲＦアンテナを一つのアンテナパネル（ｐａｎｅｌ）と定義する時、ＮＲシステムでは、互いに独立的なハイブリッドビーム形成が適用可能な複数のアンテナパネルを導入する方法も考慮されている。
【０１３０】
上述したように、基地局が複数のアナログビームを活用する場合、端末別に信号受信に有利なアナログビームが異なりうるので、少なくとも同期信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、ページング（Ｐａｇｉｎｇ）などに対しては、特定サブフレーム（Ｓｕｂｆｒａｍｅ、ＳＦ）において基地局が適用する複数のアナログビームをシンボル別に変えて、すべての端末が受信機会を有することができるようにするビームスイーピング（ｂｅａｍ  ｓｗｅｅｐｉｎｇ）動作が考慮されている。
【０１３１】
図９は、同期信号とシステム情報に対するビームスイーピング動作の一例を示す。
【０１３２】
図９を参考すると、ダウンリンク伝送過程での同期信号とシステム情報に対するビームスイーピングが仮定され、ＮＲシステムのシステム情報がブロードキャスティング（ｂｒｏａｄｃａｓｔｉｎｇ）方式で伝送される物理的資源（または物理チャネル）は、ｘＰＢＣＨ（ｘ−Ｐｈｙｓｉｃａｌ  Ｂｒｏａｄｃａｓｔ  Ｃｈａｎｎｅｌ）と称されることができる。
【０１３３】
このとき、一つのシンボル内で互いに異なるアンテナパネルに属するアナログビームは、同時に伝送されることができ、アナログビーム別チャネルを測定するために、以下の図９に示されたように（特定アンテナパネルに対応する）単一アナログビームが適用されて伝送される参照信号（Ｒｅｆｅｒｅｎｃｅ  ｓｉｇｎａｌ、ＲＳ）であるビームＲＳ（Ｂｅａｍ  ＲＳ、ＢＲＳ）を導入する方法が考慮されることができる。
【０１３４】
ここで、ＢＲＳは、複数のアンテナポートに対して定義されることができ、ＢＲＳの各アンテナポートは、単一アナログビームに対応できる。このとき、ＢＲＳとは異なり、同期信号またはｘＰＢＣＨは、任意の端末がよく受信できるようにアナログビームグループ内のすべてのアナログビームが適用されて伝送されることができる。
【０１３５】
ＮＲシステムでのＳＲＳ伝送
【０１３６】
ＮＲシステムにおいて、ＳＲＳ資源に対するＳＲＳのシーケンス（ｓｅｑｕｅｎｃｅ）は、以下の式３によって生成されることができる。
【０１３７】
【数３】
0006878694.tif 000044
【０１３８】
式３中、
0006878694.tif 000045
は、ＳＲＳのシーケンス番号（ｓｅｑｕｅｎｃｅ  ｎｕｍｂｅｒ、ｖ）及びシーケンスグループ（ｓｅｑｕｅｎｃｅ  ｇｒｏｕｐ、ｕ）により設定されたシーケンスを表し、伝送コム（ｔｒａｎｓｍｉｓｓｉｏｎ  ｃｏｍｂ、ＴＣ）番号Ｋ＿ＴＣ
0006878694.tif 000046
は、上位層パラメータであるＳＲＳ−ＴｒａｎｓｍｉｓｓｉｏｎＣｏｍｂに含まれることができる。
【０１３９】
また、アンテナポート
0006878694.tif 000047
に対する循環シフト（ｃｙｃｌｉｃ  ｓｈｉｆｔ、ＳＣ）
0006878694.tif 000048
は、以下の式４のように与えられることができる。
【０１４０】
【数４】
0006878694.tif 000049
【０１４１】
式４中、
0006878694.tif 000050
は、上位層パラメータＳＲＳ−ＣｙｃｌｉｃｓｈｉｆｔＣｏｎｆｉｇにより与えられることができる。また、循環シフトの最大値（ｍａｘｉｍｕｍ  ｎｕｍｂｅｒ）は、Ｋ＿ＴＣが４の場合に１２
0006878694.tif 000051
であり、Ｋ＿ＴＣが２の場合に８
0006878694.tif 000052
でありうる。
【０１４２】
前記シーケンスグループ（ｕ）
0006878694.tif 000053
及びシーケンス番号（ｕ）は、上位層パラメータＳＲＳ−ＧｒｏｕｐＳｅｑｕｅｎｃｅＨｏｐｐｉｎｇによることができる。また、ＳＲＳシーケンス識別子
0006878694.tif 000054
は、上位層パラメータＳＲＳ−ＳｅｑｕｅｎｃｅＩｄにより与えられることができる。ｌ’
0006878694.tif 000055
は、該当ＳＲＳ資源内のＯＦＤＭシンボル番号（ＯＦＤＭ  ｓｙｍｂｏｌ  ｎｕｍｂｅｒ）を表す。
【０１４３】
このとき、ＳＲＳ−ＧｒｏｕｐＳｅｑｕｅｎｃｅＨｏｐｐｉｎｇの値が０の場合、グループホッピング及びシーケンスホッピングは利用されず、これは、以下の式５のように表現されることができる。
【０１４４】
【数５】
0006878694.tif 000056
【０１４５】
式５中、ｆ＿ｇｈ（ｘ，ｙ）は、シーケンスグループホッピングを表し、ｖは、シーケンスホッピングを表す。
【０１４６】
または、ＳＲＳ−ＧｒｏｕｐＳｅｑｕｅｎｃｅＨｏｐｐｉｎｇの値が１の場合、シーケンスホッピングでないグループホッピングが利用され、これは、以下の式６のように表現されることができる。
【０１４７】
【数６】
0006878694.tif 000057
【０１４８】
式６中、ｆ＿ｇｈ（ｘ，ｙ）は、シーケンスグループホッピングを表し、ｖは、シーケンスホッピングを表す。また、ｃ（ｉ）は、疑似−ランダムシーケンス（ｐｓｅｕｄｏ−ｒａｎｄｏｍ  ｓｅｑｕｅｎｃｅ）を表し、各無線フレームの開始において
0006878694.tif 000058
に初期化できる。
【０１４９】
または、ＳＲＳ−ＧｒｏｕｐＳｅｑｕｅｎｃｅＨｏｐｐｉｎｇの値が２の場合、グループホッピングでないシーケンスホッピングが利用され、これは、以下の式７のように表現されることができる。
【０１５０】
【数７】
0006878694.tif 000059
【０１５１】
式７中、ｆ＿ｇｈ（ｘ，ｙ）は、シーケンスグループホッピングを表し、ｖは、シーケンスホッピングを表す。また、また、ｃ（ｉ）は、疑似−ランダムシーケンス（ｐｓｅｕｄｏ−ｒａｎｄｏｍ  ｓｅｑｕｅｎｃｅ）を表し、各無線フレームの開始において
0006878694.tif 000060
に初期化されることができる
0006878694.tif 000061
【０１５２】
ＳＲＳ（Ｓｏｕｎｄｉｎｇ  Ｒｅｆｅｒｅｎｃｅ  Ｓｉｇｎａｌ）ホッピング
【０１５３】
ＳＲＳホッピング動作は、周期的ＳＲＳトリガーリング（例：トリガーリング類型０）時においてのみ行われることができる。また、ＳＲＳ資源の割り当ては、予め−定義されたホッピングパターンに応じて提供されることができる。この場合、ホッピングパターンは、端末−特定に上位層シグナリング（例：ＲＲＣシグナリング）に指定されることができ、重複は許容されることができない。
【０１５４】
また、セル−特定及び／または端末−特定ＳＲＳが伝送されるサブフレームごとにホッピングパターンを利用してＳＲＳが周波数ホッピング（ｆｒｅｑｕｅｎｃｙｈｏｐｐｉｎｇ）され、ＳＲＳホッピングの周波数領域上の開始位置及びホッピング公式は、以下の式８を介して解析できる。
【０１５５】
【数８】
0006878694.tif 000062
【０１５６】
式８中、ｎＳＲＳは、時間領域でのホッピング進行間隔を意味し、Ｎｂは、ｔｒｅｅ  ｌｅｖｅｌ  ｂに割り当てられたブランチ（ｂｒａｎｃｈ）数、ｂは、専用ＲＲＣ（ｄｅｄｉｃａｔｅｄ  ＲＲＣ）においてＢＳＲＳ設定により決定されることができる。
【０１５７】
図１０は、ＳＲＳホッピングパターンを設定する方法の一例を示す。具体的に、図１０は、スロットｎｓ＝１からスロットｎｓ＝４へのホッピングパターンの例示を示す。
【０１５８】
図１０中、ＣＳＲＳ、Ｎ＾ＵＬ＿ＲＢ、ｎｆ及びｎｓは、セル−特定シグナリング（例：セル−特定ＲＲＣシグナリング）を介して、ＣＳＲＳ＝１、Ｎ＾ＵＬ＿ＲＢ＝１００、ｎｆ＝１及びｎｓ＝１にそれぞれ設定される場合が仮定される。また、端末Ａ、Ｂ及びＣに対して、端末−特定シグナリング（例：端末−特定ＲＲＣシグナリング）を介して、ＢＳＲＳ、ｂｈｏｐ、ｎＲＲＣ、ＴＳＲＳが設定されることができる。具体的に、端末Ａは、ＢＳＲＳ＝１、ｂｈｏｐ＝１、ｎＲＲＣ＝２２、ＴＳＲＳ＝１０に設定され、端末Ｂは、ＢＳＲＳ＝２、ｂｈｏｐ＝０、ｎＲＲＣ＝１０、ＴＳＲＳ＝５に設定され、端末Ｃは、ＢＳＲＳ＝３、ｂｈｏｐ＝２、ｎＲＲＣ＝２３、ＴＳＲＳ＝２に設定されることができる。
【０１５９】
先に言及したように、次世代無線通信システム（以下、説明の便宜のためにＮＲシステムと称される）では、ＳＲＳアンテナスイッチングを行う必要がある端末（例：１Ｔ４Ｒ端末、１Ｔ２Ｒ端末、２Ｔ４Ｒ端末など）が存在できる。
【０１６０】
他のアップリンクチャネル（例：ＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ（Ｐｈｙｓｉｃａｌ  Ｕｐｌｉｎｋ  ｃｏｎｔｒｏｌ  ｃｈａｎｎｅｌ）等）の伝送が行われる場合、このような端末は、前記利用される伝送アンテナ（Ｔｒａｎｓｍｉｓｓｉｏｎ  ａｎｔｅｎｎａ、Ｔｘ  ａｎｔｅｎｎａ）がＳＲＳ伝送アンテナとマッチング（ｍａｔｃｈｉｎｇ）されなければ、該当伝送時間単位（例：スロット（ｓｌｏｔ）等）で伝送アンテナの変更無しでＵＬ伝送を行うことができない。そうでない場合、すなわち、他のアップリンクチャネルの伝送アンテナとＳＲＳ伝送アンテナが異なる場合、伝送アンテナの変更のための遷移時間（ｔｒａｎｓｉｔｉｏｎ  ｔｉｍｅ）が要求されることもできる。換言すれば、他のアップリンクチャネルとＳＲＳとの間に前記遷移時間を考慮したシンボル（ら）の設定が必要でありうる。
【０１６１】
ここで、このようなシンボル（ら）は、保護区間（ｇｕａｒｄ  ｐｅｒｉｏｄ）（特に、アンテナスイッチングのための保護区間）と称されることができ、Ｙシンボル（ｓｙｍｂｏｌ）で構成されることができる。ここで、保護区間は、ＳＲＳ資源間のアンテナスイッチング遂行時に設定されることができ、これは、ヌメロロジー（μ）（例：サブキャリア間隔（ｓｕｂｃａｒｒｉｅｒ  ｓｐａｃｉｎｇ）（Δf）等）によって定義されることができる。一例として、Ｙシンボルは、Ｙ個のＯＦＤＭシンボルを意味できる。
【０１６２】
上述した保護区間、すなわち、Ｙシンボルは、以下の表５のように定義されることができる。表５は、アンテナスイッチングのためのＳＲＳ資源集合（ＳＲＳ  ｒｅｓｏｕｒｃｅ  ｓｅｔ）のＳＲＳ資源間の（最小）保護区間の例を示す。すなわち、前記保護区間は、ＳＲＳ資源集合を構成するＳＲＳ資源を考慮して設定されることができる。
【０１６３】
【表５】
0006878694.tif 000063
【０１６４】
特に、ＵＬグラント（ＵＬ  ｇｒａｎｔ）に割り当てられたＰＵＳＣＨ資源のタイミングオフセット（ｔｉｍｉｎｇ  ｏｆｆｓｅｔ）がＸと称され、ＳＲＳトリガーリングＤＣＩ（ＳＲＳ  ｔｒｉｇｇｅｒｉｎｇ  ＤＣＩ）とＳＲＳ伝送間のタイミングオフセットがＺと称され、ｓＰＵＣＣＨ（ｓｈｏｒｔ  ＰＵＣＣＨ）資源のタイミングオフセットは、Ｍと称される場合を仮定しよう。
【０１６５】
このとき、Ｚ値がＸ値より小さな場合及び／またはＭ値より小さな場合が発生できる。この場合、図１１に示されたように、同じスロット（例：スロットｎ）にＰＵＳＣＨ、ｓＰＵＣＣＨ及び／またはＳＲＳの伝送が割り当てられることができる。
【０１６６】
図１１は、ＵＬグラントに対する送信オフセットとＳＲＳトリガーリングオフセットを考慮したアップリンク伝送の一例を示す。図１１は、ただ説明の便宜のためのものに過ぎず、本発明の範囲を制限するものでない。
【０１６７】
図１１を参考すると、Ｘは、端末がＵＬ  ｇｒａｎｔを受信した時点から該当ＵＬ  ｇｒａｎｔによりスケジューリングされるＰＵＳＣＨ伝送を行う時点までのオフセットを意味し、Ｚは、端末がＳＲＳをトリガーリングするＤＣＩを受信した時点から実際ＳＲＳの伝送が行われる時点までのオフセットを意味できる。この場合、スロットｎは、ＵＬグラントによりスケジューリングされたＰＵＳＣＨの伝送とＳＲＳトリガーリングＤＣＩによるＳＲＳの伝送が遂行（または割り当て）されたスロットを意味できる。
【０１６８】
また、アンテナスイッチングを支援する端末に４個のＳＲＳシンボルが割り当てられ、サブキャリア間隔が１２０ｋＨｚである場合（すなわち、Ｙシンボルの数は、２）が仮定される。これは、説明の便宜のためのものに過ぎず、他の数のＳＲＳシンボル（ら）が割り当てられる場合、及び他のサブキャリア間隔（すなわち、他のヌメロロジー）の場合に対しても拡張されて適用されうることはもちろんである。
【０１６９】
例えば、図１１の（ａ）に示されたようにＺがＸより小さな場合、基地局がＵＬグラント（例：ＵＬデータのスケジューリングのためのＤＣＩ）を端末に伝送する時、基地局は、ＳＲＳとの多重化（ｍｕｌｔｉｐｌｅｘｉｎｇ）を考慮しない資源領域をＰＵＳＣＨ資源として割り当てることができる。これにより、基地局がＵＬデータ伝送のための資源として割り当てたＰＵＳＣＨシンボル領域のうち、ＳＲＳと隣接した一つのシンボル領域は、ＳＲＳのアンテナスイッチング（ａｎｔｅｎｎａ  ｓｗｉｔｃｈｉｎｇ）に応じる上述した保護区間が確保されない場合、性能劣化が発生できる。換言すれば、ＰＵＳＣＨ伝送とＳＲＳ伝送が隣接して設定される場合、アンテナスイッチングのための保護区間（すなわち、アンテナスイッチングのための遷移時間）が必要でありうる。
【０１７０】
他の例として、図１１の（ｂ）に示されたようにＺがＭより小さな場合、基地局がＰＵＣＣＨ伝送をトリガーリングするためのＤＣＩを端末に送信する時、基地局は、ＳＲＳとの多重化（ｍｕｌｔｉｐｌｅｘｉｎｇ）を考慮しない資源領域をＰＵＣＣＨ資源として割り当てることができる。この場合、上述した例示と類似するように、ＰＵＣＣＨに伝送した制御情報（例：ＵＣＩ（Ｕｐｌｉｎｋ  Ｃｏｎｔｒｏｌ  Ｉｎｆｏｒｍａｔｉｏｎ））の検出時に性能劣化が発生できる。
【０１７１】
本明細書では、このような性能劣化を防止するために、ＳＲＳ伝送と他のアップリンク伝送が設定される場合、アンテナスイッチングなどのための保護区間を設定及び／または指示する方法について説明する。
【０１７２】
具体的に、ＰＵＳＣＨ及び／またはＰＵＣＣＨの伝送とＳＲＳ伝送との間の関係を考慮して、保護区間を設定及び／または指示する方法（以下、第１の実施形態）について検討し、保護区間とＳＲＳ資源集合（すなわち、ＳＲＳ資源）との間の衝突が発生する場合の解決方案（以下、第２の実施形態）についても検討する。
【０１７３】
また、本明細書では、説明の便宜のために、ＰＵＳＣＨ及び／またはＰＵＣＣＨの伝送とＳＲＳ伝送との間の関係での保護区間、保護区間とＳＲＳ資源（ら）（例：ＳＲＳ資源集合）間の関係を基準に説明されるが、以下説明される方法は、これに限定されずに、他のアップリンク伝送との関係でも同様に拡張されて適用されうることはもちろんである。
【０１７４】
また、説明の便宜のために、本明細書で言及される保護区間（ｇｕａｒｄ  ｐｅｒｉｏｄ）は、上述したアンテナスイッチングのためのギャップシンボル（ｇａｐｓｙｍｂｏｌ）、ギャップ（ｇａｐ）、Ｙシンボル、Ｙシンボルギャップ（Ｙシンボルｇａｐ）Ｙギャップシンボルなどを意味できる。すなわち、本明細書において保護区間、ギャップシンボル、ギャップ、Ｙシンボル、Ｙシンボルギャップ、Ｙギャップシンボルなどは、同じ意味を有することができる。
【０１７５】
また、以下本明細書において説明される実施形態及び／または方法は、説明の便宜のために区分されるものに過ぎず、ある方法の一部構成が他の方法の構成と置換されるか、または他の方法の構成と相互結合されて適用されうることはもちろんである。例えば、第１の実施形態において説明される方法と第２の実施形態において説明される方法は、相互結合して適用されることができる。
【０１７６】
（第１の実施形態）
【０１７７】
本実施形態では、ＰＵＳＣＨ及び／またはＰＵＣＣＨの伝送とＳＲＳ伝送との間の関係を考慮して、保護区間を設定及び／または指示する方法について具体的に説明する。
【０１７８】
先に言及したように、本実施形態において説明される方法は、ＰＵＳＣＨ及び／またはＰＵＣＣＨでない他のアップリンク伝送に対しても拡張されて適用されることができる。
【０１７９】
方法１）
【０１８０】
アンテナスイッチングを支援する端末（すなわち、アンテナスイッチング能力（ａｎｔｅｎｎａ  ｓｗｉｔｃｈｉｎｇ  ｃａｐａｂｉｌｉｔｙ）がある端末）の場合、ＰＵＳＣＨまたはＰＵＣＣＨとＳＲＳ伝送の間に上位層シグナリング（例：ＲＲＣシグナリング）、ＭＡＣ層シグナリング（例：ＭＡＣ−ＣＥ）及び／またはＤＣＩ（ｄｏｗｎｌｉｎｋ  ｃｏｎｔｒｏｌ  ｉｎｆｏｒｍａｔｉｏｎ）を介してＹシンボル（すなわち、保護区間）が設定及び／または指示されることができる。この場合、Ｙシンボルは、ヌメロロジー（例：サブキャリア間隔）を考慮して設定及び／または指示されることができる。
【０１８１】
このとき、Ｙシンボルと関連した（設定）情報は、次のような要素のうち、一つ以上を含むことができる。
【０１８２】
−Ｙシンボルの位置インデックス（例：Ｙシンボルの開始位置インデックス）
【０１８３】
−Ｙシンボルの数
【０１８４】
−ＰＵＳＣＨ及び／またはＰＵＣＣＨとＳＲＳとの間に保護区間が設定されるかどうか
【０１８５】
特に、ＰＵＳＣＨ及び／またはＰＵＣＣＨとＳＲＳとの間に保護区間が設定されるかどうかに対する情報は、ＰＵＳＣＨ及び／またはＰＵＣＣＨがＳＲＳより前のシンボル（ら）から伝送される場合、ＰＵＳＣＨ及び／またはＰＵＣＣＨがＳＲＳより後のシンボル（ら）から伝送される場合によって、別に設定及び／または指示されることができる。また、該当情報は、ＰＵＳＣＨ及び／またはＰＵＣＣＨシンボルの間にＳＲＳが位置する場合に対して保護区間をＳＲＳ伝送以前に設定するかまたは以後に設定するかに対して、別に設定及び／または指示されうる。
【０１８６】
これと関連して、次のような方式に応じてＹシンボルの位置インデックス及び／またはＹシンボル数が設定及び／または指示されうる。すなわち、基地局は、以下の表６ないし表８のような設定を利用して、端末にＹシンボル（すなわち、保護区間）の設定及び／または指示を行うことができる。換言すれば、端末は、以下の表６ないし表８のような設定を利用して、基地局からＹシンボル（すなわち、保護区間）の設定及び／または指示を受信することができる。
【０１８７】
以下の表６は、（特にＤＣＩを介して設定及び／または指示される時）Ｙシンボル（すなわち、保護区間）の設定の一例を示す。表６は、Ｙシンボルの位置インデックスとＹシンボルの数（ヌメロロジーに応じるシンボルの数）をジョイントエンコーディング（ｊｏｉｎｔ  ｅｎｃｏｄｉｎｇ）して保護区間を設定する一例を示す。
【０１８８】
【表６】
0006878694.tif 000064
【０１８９】
表６を参考すると、Ｙシンボルに対する設定（すなわち、Ｇ＿ＳＲＳ）は、１６個の状態（ｓｔａｔｅ）で表現され、４ビット情報で構成されることができる。一例として、Ｇ＿ＳＲＳの値が５の場合、Ｙシンボルの開始位置インデックスは、１１になり、Ｙシンボルの数は、１である。
【０１９０】
また、Ｙシンボルの位置（すなわち、保護区間の位置）は、「ＳＲＳ資源（ＳＲＳ  ｒｅｓｏｕｒｃｅ）の前」及び／または「ＳＲＳ資源の後」に対した情報をシグナリングして簡略に表現されることもできる。表７は、ＳＲＳ資源の位置を基準として保護区間を設定する一例を示す。
【０１９１】
【表７】
0006878694.tif 000065
【０１９２】
表７を参考すると、Ｙシンボルに対する設定（すなわち、Ｇ＿ＳＲＳ）は、８個の状態（ｓｔａｔｅ）で表現され、３ビット情報で構成されることができる。一例として、Ｇ＿ＳＲＳの値が１の場合、Ｙシンボル（すなわち、保護区間）は、最後に設定されたＳＲＳ資源の次のシンボルに位置し、Ｙシンボルの数は、２に設定される。
【０１９３】
また、上述したようにＹシンボルの数は、ヌメロロジーに応じて決定されることができるので、Ｙシンボルに対する設定（すなわち、Ｇ＿ＳＲＳ）は、以下の表８のように設定されることもできる。表８は、Ｙシンボルの数がヌメロロジーに応じて決定される特性を利用して保護区間を設定する一例を示す。
【０１９４】
【表８】
0006878694.tif 000066
【０１９５】
表８を参考すると、Ｙシンボルの数がヌメロロジーに応じて決定される特性を利用して、表７の設定が表８のように簡略化されうる。この場合、Ｙシンボルに対する設定（すなわち、Ｇ＿ＳＲＳ）は、３個の状態（ｓｔａｔｅ）で表現され、２ビット情報で構成されることができる。
【０１９６】
同様に、ＳＲＳ資源の前または後にＹシンボル（すなわち、保護区間）を同時に設定または適用する方法も考慮されうることはもちろんである。
【０１９７】
また、Ｙシンボル（すなわち、保護区間）の存在有無及び／または存在する場合の位置（及び／またはＹシンボルの数）は、予め定義されるか（または設定されるか）他のパラメータ（ｐａｒａｍｅｔｅｒ）などにより暗示的（ｉｍｐｌｉｃｉｔ）に決定されることができる。
【０１９８】
一例として、Ｙシンボルの位置は、端末に設定された最後のＳＲＳ資源の最後のシンボルインデックス＋１に設定されることができる。この場合、基地局は、追加的に保護区間のオン（ｏｎ）／オフ（ｏｆｆ）に対してのみ端末に（シグナリングを介して）設定及び／または指示することができる。
【０１９９】
このとき、Ｙシンボルの位置は、次のような事項を考慮して決定されることができる。以下、「後続ＰＵＳＣＨ及び／またはＰＵＣＣＨ」は、端末に設定されたＳＲＳ資源（ら）以後にＹシンボルより少ない間隔（特に、直ちに隣接した一つのシンボル）を有し、該当チャネルが伝送される場合を意味できる。特に、これは、スロット境界を超える場合にも同じ方式で判断されることができる。
【０２００】
まず、Ｙシンボルの位置は、同じスロットに割り当てられたＰＵＳＣＨを伝送するかどうかを考慮して決定されることができる。例えば、ＰＵＳＣＨが伝送される場合、Ｙシンボルは、最初のＳＲＳ資源（ら）の前の部分に割り当てられるように設定されることができる。これとは異なり、ＰＵＳＣＨが伝送されない場合、Ｙシンボルは、最後のＳＲＳ資源（ら）の後の部分に割り当てられるように設定されるか、またはＹシンボルに対する設定（すなわち、Ｙシンボルギャップ設定）がオフ（ｏｆｆ）されうる。すなわち、ＰＵＳＣＨが伝送され次のシンボル（ら）にＳＲＳ資源（ら）が割り当てられると、端末は、ＰＵＳＣＨに割り当てられるビーム（ｂｅａｍ）（例：ＳＲＩ（ＳＲＳ  ｒｅｓｏｕｒｃｅ  ｉｎｄｉｃａｔｏｒ）及び／またはＴＰＭＩ（ｔｒａｎｓｍｉｔ  ｐｒｅｃｏｄｉｎｇ  ｍａｔｒｉｘ  ｉｎｄｉｃａｔｏｒ）により称されるビーム）とＰＵＳＣＨシンボルのすぐ次のＳＲＳシンボルのＳＲＳ資源（ら）に割り当てられるビームがアンテナスイッチング（ａｎｔｅｎｎａ  ｓｗｉｔｃｈｉｎｇ）のためのギャップ（ｇａｐ）（すなわち、保護区間）が必要な関係にあることを仮定して動作するように設定されることができる。
【０２０１】
そして／または、Ｙシンボルの位置は、ＳＲＳ伝送が行われるスロットのすぐ次のスロットにおいて後続ＰＵＳＣＨが存在しているか（すなわち、割り当てられているか）どうかを考慮して決定されることができる。例えば、後続ＰＵＳＣＨが存在する場合、Ｙシンボルは、最後のＳＲＳ資源（ら）の後の部分に割り当てられるように設定されることができる。これとは異なり、後続ＰＵＳＣＨが存在しない場合、Ｙシンボルは、最後のＳＲＳ資源（ら）の後の部分に割り当てられるように設定されるか、Ｙシンボルに対する設定（すなわち、Ｙシンボルギャップ設定）がオフ（ｏｆｆ）しうる。すなわち、ＳＲＳが割り当てられたスロットのすぐ次のスロットにおいて、端末は、ＰＵＳＣＨに割り当てられるビーム（ｂｅａｍ）（例：ＳＲＩ（ＳＲＳ  ｒｅｓｏｕｒｃｅ  ｉｎｄｉｃａｔｏｒ）及び／またはＴＰＭＩ（ｔｒａｎｓｍｉｔ  ｐｒｅｃｏｄｉｎｇ  ｍａｔｒｉｘ  ｉｎｄｉｃａｔｏｒ）により称されるビーム）とＳＲＳ資源（ら）に割り当てられるビームがアンテナスイッチングのためのギャップ（ｇａｐ）（すなわち、保護区間）が必要な関係にあることを仮定して動作するよう設定されることができる。
【０２０２】
そして／または、ＳＲＳ伝送が行われるスロットのすぐ次のスロットに後続ＰＵＳＣＨが存在する場合、Ｙシンボルの位置は、最初のｋシンボルがＰＵＳＣＨに割り当てられたかどうかを考慮して決定されることができる。ここで、ｋは、Ｙより小さいか、または同じ正の整数でありうる。例えば、ｋ＝Ｙに設定して後続ＰＵＳＣＨの最初のＹ個のシンボルがＰＵＳＣＨのために割り当てられている場合、Ｙシンボルは、最後のＳＲＳ資源（ら）の後の部分に割り当てられるように設定されることができる。これとは異なり、ｋ＝Ｙに設定され、後続ＰＵＳＣＨの最初のＹ個のシンボルがＰＵＳＣＨのために割り当てられていない場合、Ｙシンボルは、ＳＲＳが伝送されるスロットの次のスロットの最初のＹ個のシンボルに設定されることができる。特に、この場合、ＳＲＳが伝送されるスロットの最後のｙ１個のシンボル、ＳＲＳが伝送されるスロットの次のスロットのｙ２個のシンボルに対して保護区間が設定されることもできる。このとき、ｙ１とｙ２の合計は、Ｙより大きいか、または同じく設定されることができる。
【０２０３】
そして／または、Ｙシンボルの位置は、ＳＲＳ伝送が行われるスロットに後続ＰＵＣＣＨが存在しているかどうかを考慮して決定されることもできる。例えば、ＰＵＣＣＨが存在する場合、Ｙシンボルは、最後のＳＲＳ資源（ら）の後の部分に割り当てられるように設定されることができる。これとは異なり、ＰＵＣＣＨが存在しない場合、Ｙシンボルは、最後のＳＲＳ資源（ら）の前の部分に割り当てられるように設定されるか、またはＹシンボルに対する設定（すなわち、Ｙシンボルギャップ設定）がオフ（ｏｆｆ）しうる。
【０２０４】
上述したような事項（すなわち、条件は）は、各々単独的に適用または判断されるか、または互いに結合されて複合的に適用または判断されることができる。
【０２０５】
方法１−１）
【０２０６】
また、基地局がＰＵＳＣＨ及び／またはＰＵＣＣＨとＳＲＳとの間のＹシンボルを設定する場合（すなわち、シンボルギャップを設定する場合）、端末は、暗示的にＹシンボルと最も隣接したＳＲＳ資源（ら）の伝送ビーム（ら）を該当Ｙシンボルと隣接したＰＵＳＣＨ及び／またはＰＵＣＣＨの伝送ビームと異なると仮定して動作できる。すなわち、端末は、Ｙシンボルと最も隣接したＳＲＳ資源（ら）の伝送ビーム（ら）を該当Ｙシンボルと隣接したＰＵＳＣＨまたはＰＵＣＣＨの伝送のためのビーム（ら）及び／またはアンテナポート（ａｎｔｅｎｎａ  ｐｏｒｔ）（ら）と異なる伝送アンテナを使用するビーム（ら）及び／またはアンテナポート（ａｎｔｅｎｎａ  ｐｏｒｔ）（すなわち、互いに異なる端末伝送ビーム（ら）及び／またはアンテナポート（ら））と仮定して使用することができる。
【０２０７】
そして／または、端末は、互いに隣接したＳＲＳとＰＵＣＣＨ及び／またはＰＵＳＣＨに対して互いに同じ伝送アンテナを利用するビーム（ら）及び／またはアンテナポート（ら）が設定されたと仮定して伝送を行うことができる。すなわち、端末は、（間にＹシンボル無しで）両者の間隔がＹシンボルより小さなＳＲＳとＰＵＣＣＨ及び／またはＰＵＳＣＨ（すなわち、ＰＵＣＣＨ及び／またはＰＵＳＣＨとＳＲＳとの間のＹシンボルギャップが設定または指示されない場合）に対しては、同じビーム及び／またはアンテナポートを利用して伝送を行うように仮定することができる。
【０２０８】
図１２は、本明細書において提案する方法が適用されうるＰＵＳＣＨ伝送及びＳＲＳ伝送の一例を示す。図１２は、ただ説明の便宜のためのものに過ぎず、本発明の範囲を制限するものではない。
【０２０９】
図１２を参考すると、Ｙシンボルのための設定においてＹシンボルの開始位置インデックスが８で、ヌメロロジー（すなわち、サブキャリア間隔）が１２０ｋＨｚであることに従って、Ｙシンボルのシンボル数が２の場合が仮定される（例：表６でのＧ＿ＳＲＳ＝９）。
【０２１０】
ＵＬグラントを介して指示されたＰＵＳＣＨのビームがＰＵＳＣＨ内のＤＭＲＳ（Ｄｅｍｏｄｕｌａｔｉｏｎ  Ｒｅｆｅｒｅｎｃｅ  ｓｉｇｎａｌ）にマッピングされた端末伝送ビーム（ら）
0006878694.tif 000067
である場合、ｎ番目のスロットでのＳＲＳの伝送のために伝送ビーム（ら）
0006878694.tif 000068
が割り当てられる（または利用される）ことができる。この場合、
0006878694.tif 000069
は、互いにアンテナスイッチングを介して変更されうる関係にあると仮定することができる（すなわち、同一であるか、または異なりうる）。このとき、端末は、ＵＬグラント受信時のＰＵＳＣＨ伝送のための端末伝送ビーム情報を介して、Ｙシンボル（すなわち、ギャップ）の位置に応じてＹシンボルの次に位置するＳＲＳ資源（ら）のビームら
0006878694.tif 000070
選択に制約がないことができる（すなわち、互いに異なる伝送アンテナを利用するビーム）。
【０２１１】
図１３は、本明細書において提案する方法が適用されうるＰＵＳＣＨ伝送及びＳＲＳ伝送の他の例を示す。図１３は、ただ説明の便宜のためのものに過ぎず、本発明の範囲を制限するものではない。
【０２１２】
図１３を参考すると、Ｙシンボルのための設定においてＹシンボルの開始位置インデックスが８で、ヌメロロジー（すなわち、サブキャリア間隔）が１２０ｋＨｚであることに応じて、Ｙシンボルのシンボル数が２の場合が仮定される（例：表６でのＧ＿ＳＲＳ＝１３）。
【０２１３】
この場合、端末は、Ｙシンボル（すなわち、ギャップシンボル）の前にあるシンボルでのＳＲＳ資源（ら）の場合、次のスロットのＰＵＳＣＨ伝送のためのビーム（ら）とアンテナスイッチング関係にあるビーム
0006878694.tif 000071
選択に制約がないこともできる。これに反して、ＳＲＳシンボルの前にＰＵＳＣＨシンボルが直ちに隣接して配置され、ＰＵＳＣＨの伝送のためにビーム（ら）
0006878694.tif 000072
が設定されると、端末は、最初のＳＲＳシンボルのＳＲＳ資源（ら）のビームに
0006878694.tif 000073
を暗示的に選択するように設定されることができる。すなわち、端末は、最初のＳＲＳシンボルのＳＲＳ資源（ら）のビームにＰＵＳＣＨの伝送アンテナと同じ伝送アンテナを利用するビームを暗示的に選択するように設定されることができる。
【０２１４】
上述した方式は、最後のＳＲＳ資源（ら）の以後にＰＵＣＣＨ及び／またはＰＵＳＣＨが伝送される場合にも、ＳＲＳとＰＵＣＣＨ及び／またはＰＵＳＣＨ間の関係において同様に適用されることができる。すなわち、この場合、基地局は、隣接したＰＵＣＣＨ及び／またはＰＵＳＣＨとＳＲＳ資源の伝送ビームを端末が互いに同じ伝送アンテナを利用して伝送すると見なすことができる。
【０２１５】
方法１−２）
【０２１６】
基地局がＰＵＳＣＨ及び／またはＰＵＣＣＨとＳＲＳ間の保護区間のためにＹシンボルを設定する場合、基地局は、ＳＲＳトリガーリング時にＹシンボル（すなわち、ギャップシンボル）と最も隣接したＳＲＳシンボル内の割り当てられているＳＲＳ資源（ら）の伝送ビーム（ら）及び／またはアンテナポート（ら）をＰＵＳＣＨ及び／またはＰＵＣＣＨが伝送されるビーム（ら）及び／またはアンテナポート（ら）とアンテナスイッチング関係にあるビーム（ら）及び／またはアンテナポート（ら）に指定（または指示）できる。換言すれば、ＳＲＳとＰＵＳＣＨ及び／またはＰＵＣＣＨ間にＹシンボルが設定された場合、基地局は、ＳＲＳ資源のためのビームとＰＵＳＣＨ及び／またはＰＵＣＣＨのためのビームを互いに異なる（端末伝送アンテナを利用する）伝送ビーム（ら）及び／またはアンテナポート（ら）に指定できる。
【０２１７】
そして／または、基地局は、ＳＲＳとＰＵＳＣＨ及び／またはＰＵＣＣＨ間にＹシンボル無しで互いに隣接して設定された場合、互いに同じ伝送アンテナを利用するビーム（ら）及び／またはアンテナポート（ら）（例：互いに同じビーム（ら）及び／またはアンテナポート（ら））を利用するように、端末に指定または指示できる。
【０２１８】
このとき、ビーム（ら）及び／またはアンテナポート（ら）を指定する方法として、ノン−コードブック（ｎｏｎ−ｃｏｄｅｂｏｏｋ）基盤のＵＬ伝送である場合、基地局が以前に伝送したＳＲＩ（ら）のうち、ＰＵＳＣＨ及び／またはＰＵＣＣＨビーム（ら）とアンテナスイッチング関係にあるビーム（ら）を称する（すなわち、指示）するＳＲＩ（ら）を端末に伝送する方法が考慮されうる。または、コードブック（ｃｏｄｅｂｏｏｋ）基盤のＵＬ伝送である場合、基地局が以前に送信したＴＰＭＩ（ら）のうち、ＰＵＳＣＨ及び／またはＰＵＣＣＨビーム（ら）とアンテナスイッチング関係にあるビーム（ら）を称する（すなわち、指示）ＴＰＭＩ（ら）を端末に伝送する方法が考慮されうる。
【０２１９】
また、端末は、ＰＵＳＣＨ及び／またはＰＵＣＣＨとＳＲＳをＹシンボル（すなわち、ギャップシンボル）なしで設定（または指示）される場合、該当ＰＵＳＣＨ及び／またはＰＵＣＣＨと隣接したＳＲＳ資源（及び／またはシンボル）は、互いに異なるビーム（ら）及び／またはアンテナポート（ら）を設定（または指示）されることを期待しないことができる。
【０２２０】
図１４は、本明細書において提案する方法が適用されうるＰＵＳＣＨ伝送及びＳＲＳ伝送の他の例を示す。図１４は、ただ説明の便宜のためのものに過ぎず、本発明の範囲を制限するものではない。具体的に、図１５は、ＳＲＳトリガーリング時ＰＵＳＣＨ及び／またはＰＵＣＣＨとのアンテナスイッチングのための保護区間（すなわち、Ｙシンボル）と該当ＳＲＳビームを設定する方法の例を示す。
【０２２１】
図１４を参考すると、Ｙシンボルのための設定においてＹシンボルの開始位置インデックスが８または１２で、ヌメロロジー（すなわち、サブキャリア間隔）が１２０ｋＨｚであることに応じて、Ｙシンボルのシンボル数が２の場合が仮定される。
【０２２２】
図１４の（ａ）は、基地局がＳＲＳをトリガーリングするＤＣＩに含まれたＳＲＩ及び／またはＴＰＭＩを介して、Ｙシンボル（すなわち、保護区間）以後に割り当てられたＳＲＳの伝送のためのビーム（ら）
0006878694.tif 000074
を指定する方法の一例を示す。すなわち、図１４の（ａ）は、ＳＲＳ資源（ら）の前のＰＵＳＣＨを考慮したＳＲＳトリガーリングＤＣＩのＳＲＩ及び／またはＴＰＭＩ送信方法の一例を示す。
【０２２３】
また、図１４の（ｂ）は、基地局がＳＲＳをトリガーリングするＤＣＩに含まれたＳＲＩ及び／またはＴＰＭＩを介して、Ｙシンボル以後のＰＵＣＣＨ及び／またはＰＵＳＣＨを考慮してＳＲＳの伝送のためのビーム（ら）
0006878694.tif 000075
を指定する方法の一例を示す。すなわち、図１４の（ｂ）は、ＳＲＳ資源（ら）後のＰＵＣＣＨ及び／またはＰＵＳＣＨを考慮したＳＲＳトリガーリングＤＣＩのＳＲＩ及び／またはＴＰＭＩ送信方法の一例を示す。
【０２２４】
方法１−３）
【０２２５】
方法１−３では、他のアップリンク伝送（例：ＰＵＣＣＨ伝送等）とＹシンボル（すなわち、保護区間、ギャップシンボル）の位置が重複（ｏｖｅｒｌａｐ）される場合（すなわち、衝突される場合）、これを解決するための方法について説明する。
【０２２６】
（方法１−３ａ）
【０２２７】
まず、ＳＲＳ資源（ら）とＹシンボルを一つのＳＲＳ資源グループとして定義し、該当ＳＲＳ資源グループとＰＵＣＣＨとの間の優先順位規則を定義及び／または適用する方法が考慮されうる。
【０２２８】
ＮＲシステムでは、ＳＲＳとＣＳＩ（Ｃｈａｎｎｅｌ  Ｓｔａｔｅ  Ｉｎｆｏｒｍａｔｉｏｎ）報告（ｒｅｐｏｒｔｉｎｇ）及び／またはビーム失敗復旧要請（ｂｅａｍ  ｆａｉｌｕｒｅ  ｒｅｃｏｖｅｒ  ｒｅｑｕｅｓｔ）のためのＰＵＣＣＨ（例：短いＰＵＣＣＨ（ｓｈｏｒｔ  ＰＵＣＣＨ、ｓＰＵＣＣＨ）等）の間に衝突が発生する場合、以下の表９のような優先順位に応じていずれか一つが伝送され、いずれか一つは、ドロップ（ｄｒｏｐ）されうる。
【０２２９】
【表９】
0006878694.tif 000076
【０２３０】
表９中、ＳＲＳがドロップされる場合、該当ドロップは、時間領域上において部分的に行われることができる。すなわち、ＳＲＳのためのＯＦＤＭシンボルのうち、ｓＰＵＣＣＨと衝突されるＯＦＤＭシンボルだけがドロップされうる。
【０２３１】
万が一、ｓＰＵＣＣＨがビーム失敗復旧要請を支援し、該当ｓＰＵＣＣＨと非周期的（ａｐｅｒｉｏｄｉｃ）／半−持続的（ｓｅｍｉ−ｐｅｒｓｉｓｔｅｎｔ）／周期的（ｐｅｒｉｏｄｉｃ）ＳＲＳとの間の衝突が発生する場合、ｓＰＵＣＣＨが優先でありうる。また、端末は、非周期的ＳＲＳと非周期的ＣＳＩ報告だけのためのｓＰＵＣＣＨ間の衝突は発生しないと仮定することができる。
【０２３２】
このとき、上述したようにＹシンボルを隣接したＳＲＳ資源（ら）と一つのグループと見なして（すなわち、上述したＳＲＳの代わりに｛ＳＲＳ資源（ら）＋Ｙシンボル｝を一つのＳＲＳグループと見なして）、表９のような優先順位規則を同様に適用する方法が考慮されうる。このようなグループは、ＳＲＳグループまたはＳＲＳ資源グループなどと称されることができる。
【０２３３】
換言すれば、ＳＲＳ資源（ら）と関連して保護区間すなわち、Ｙシンボルが設定される場合、Ｙシンボルと他のアップリンク伝送（例：ｓＰＵＣＣＨ伝送）との間の優先順位規則は、該当ＳＲＳ資源（ら）と前記他のアップリンク伝送との間の優先順位規則と同様に設定されることができる。すなわち、表９を参考にして、ＹシンボルとＰＵＣＣＨとの間の優先順位規則は、以下の表１０のように設定されることもできる。
【０２３４】
【表１０】
0006878694.tif 000077
【０２３５】
このような場合、ＳＲＳグループ（すなわち、ＳＲＳ資源（ら）及びＹシンボルギャップ）は、明示的設定（ｅｘｐｌｉｃｉｔ  ｃｏｎｆｉｇｕｒａｔｉｏｎ）または暗示的設定（ｉｍｐｌｉｃｉｔ  ｃｏｎｆｉｇｕｒａｔｉｏｎ）により決定または設定されることができる。
【０２３６】
例えば、明示的設定の方法として、ＳＲＳ資源設定（例：ＳＲＳ−Ｃｏｎｆｉｇ、ＳＲＳ  ｒｅｓｏｕｒｃｅ  ｓｅｔ  ｃｏｎｆｉｇ等）にＹシンボルの設定（ｃｏｎｆｉｇｕｒａｔｉｏｎ）が含まれることができる。これは、ＳＲＳ資源設定に含まれるＳＲＳ資源（ら）とＹシンボルは、一つのＳＲＳグループで構成されることを意味できる。
【０２３７】
他の例として、暗示的設定の方法として、該当スロットにおいてＹシンボルとＳＲＳ資源（ら）のうち、ＳＲＳ資源（ら）がより前のシンボルに位置する場合、順にＳＲＳ資源（ら）及び後続Ｙシンボルが一つのＳＲＳグループと見なされることができる。または、該当スロットにおいてＹシンボルとＳＲＳ資源（ら）のうち、Ｙシンボルがより前のシンボルに位置する場合、順にＹシンボル及び後続ＳＲＳ資源（ら）が一つのＳＲＳグループと見なされることができる。このとき、各ＳＲＳグループは、最小一つのＳＲＳ資源を含まなければならず、Ｙシンボルは含まれなくても良い。一例として、最後のＳＲＳ資源（ら）の後続するシンボルでは、Ｙシンボルが要らないから設定されないこともできる。
【０２３８】
（方法１−３ｂ）
【０２３９】
そして／または、ＰＵＣＣＨとＹシンボルの位置が衝突する場合、端末は、Ｙシンボルの前のＳＲＳシンボル（すなわち、ＳＲＳ資源（ら））とＹシンボルを共にドロップし、ＰＵＣＣＨを送信するように設定されることもできる。すなわち、上述した方法１−３ａ）と同様にＳＲＳグループを設定及び／または見なすものの、端末は、上述した優先順位規則（例：表９、表１０を適用する代わりに、ＳＲＳグループをドロップするよう設定されることができる。
【０２４０】
（方法１−３ｃ）
【０２４１】
そして／または、ＰＵＣＣＨとＹシンボルの位置が衝突する場合、端末は、ＰＵＣＣＨをドロップするよう設定されることもできる。すなわち、上述した方法１−３ａ）と同様にＳＲＳグループを設定及び／または見なすものの、端末は、上述した優先順位規則（例：表９、表１０）を適用する代わりに、ＰＵＣＣＨをドロップするよう設定されることができる。
【０２４２】
（方法１−３ｄ）
【０２４３】
そして／または、端末は、ＰＵＣＣＨとＹシンボルとの間に衝突が発生することを期待しないように設定されることもできる。
【０２４４】
図１５は、本発明において提案する方法が適用されうるＰＵＣＣＨ伝送及びＳＲＳ伝送方法のさらに他の例を示す。図１５は、ただ説明の便宜のためのものに過ぎず、本発明の範囲を制限するものではない。
【０２４５】
図１５を参考すると、Ｙシンボルのための設定においてＹシンボルの開始位置インデックスが１２で、ヌメロロジー（すなわち、サブキャリア間隔）が１２０ｋＨｚであることに応じて、Ｙシンボルのシンボル数が２の場合が仮定される（例：表６のＧ＿ＳＲＳ＝１３）。
【０２４６】
図１５の（ａ）に示されたように、ＰＵＣＣＨトリガーリングオフセット（Ｍ）とＳＲＳトリガーリングオフセット（Ｚ）の関係がＺ＜Ｍの場合、ＰＵＣＣＨシンボルが＃１２及び＃１３シンボルインデックスから伝送され、ＳＲＳシンボルが＃８ないし＃１１シンボルインデックスに設定されると、ＰＵＣＣＨシンボルとＹシンボル（すなわち、ギャップシンボル、保護区間）は衝突されうる。
【０２４７】
この場合、上述した方法１−３ｂを利用して、Ｙシンボルの前に割り当てられたＳＲＳシンボル及びＹシンボルをドロップし、ＰＵＣＣＨが＃１２及び＃１３シンボルインデックスに割り当てられることができる。これは、図１５の（ｂ）のように表現されることができる。
【０２４８】
方法１−４）
【０２４９】
上述した方法１−３）は、ＰＵＣＣＨとＹシンボルとの間に衝突が発生する場合に対する解決方案を提案する。該当方法１−４）では、ＰＵＳＣＨとＹシンボル（すなわち、ギャップシンボル）の位置が衝突される場合、基地局及び／または端末の動作について説明する。
【０２５０】
まず、端末が衝突されるＹシンボルを穿孔（ｐｕｎｃｔｕｒｉｎｇ）するよう設定されることができる。
【０２５１】
または、端末が衝突されるＹシンボルを考慮してレートマッチング（ｒａｔｅ  ｍａｔｃｈｉｎｇ）動作を行うように設定されることができる。ただし、ＵＬグラント伝送時、基地局は、該当スロット（すなわち、ＰＵＳＣＨとＹシンボルとの間に衝突が発生するスロット）に対して既にレートマッチングが考慮されたＵＬデータの割り当てを端末に指示できる。
【０２５２】
または、端末は、衝突されるＹシンボル分だけＳＲＳシンボルの位置を次のシンボルの位置に移動させることもできる。例えば、Ｙシンボルの数が２で、ＳＲＳシンボル位置インデックスが＃８ないし＃１１の場合、端末は、ＳＲＳシンボル位置を＃１０ないし＃１３シンボルインデックスに移動させることができる。ただし、ＳＲＳトリガーリング時、基地局は、該当スロットにおいてＹシンボルとＰＵＳＣＨシンボルとが衝突することを認識できる。すなわち、該当基地局は、該当スロットにおいてＳＲＳがＹシンボル分だけシフト（ｓｈｉｆｔ）されることを認識できる。
【０２５３】
または、端末は、ＰＵＳＣＨシンボルとＹシンボルとの間に衝突が発生することを期待しないように設定されることができる。
【０２５４】
方法２）
【０２５５】
上述した方法１のように、基地局及び／または端末との間に別のＹシンボル（すなわち、保護区間、ギャップシンボル）が事前に定義または設定されない場合、Ｙシンボルの設定及び／または決定のための基地局及び／または端末の動作について説明する。
【０２５６】
基地局及び／または端末間に別のＹシンボルが予め定義または設定されない場合、端末がＹシンボルを決定する方法が考慮されることができる。
【０２５７】
Ｙシンボルが端末により決定され、ＰＵＳＣＨとＳＲＳ資源（ら）（またはＳＲＳ資源（ら）及びＹシンボルで構成されたＳＲＳグループ）との間に衝突が発生する場合、上述した方法１と類似の動作を行うように設定されることができる。具体的に、次のような例示の端末動作が考慮されうる。
【０２５８】
例えば、他の動作と関係なく、端末は、Ｙシンボルに対する設定（すなわち、Ｙシンボルギャップの設定）を基地局に報告（ｒｅｐｏｒｔｉｎｇ）（またはフィードバック（ｆｅｅｄｂａｃｋ））するよう設定されることができる。この場合、利用されるシグナリング方式は、上述した方法１）に述べられた方式と同様に利用されることができる。
【０２５９】
他の例として、端末がＹシンボルを考慮してＰＵＳＣＨをレートマッチング（ｒａｔｅ  ｍａｔｃｈｉｎｇ）する場合、該当端末は、レートマッチングと関連した情報を基地局に報告するように設定されることができる。一例として、レートマッチングと関連した情報は、レートマッチングを行うかどうか、Ｙシンボルに対する値（すなわち、Ｙシンボルに対する設定）などを含むことができる。
【０２６０】
端末がレートマッチングと関連した情報をＰＵＳＣＨを介して送信する場合、ＰＵＳＣＨの前のｐシンボルにＰＵＳＣＨと独立的なエンコーディング（ｅｎｃｏｄｉｎｇ）を利用して送信できる。
【０２６１】
また、フィードバック方法として、端末は、レートマッチングを考慮したＭＣＳ値をＰＵＣＣＨまたはＰＵＳＣＨを介して送信できる。または、端末は、基地局により指示されたＭＣＳは、維持して伝送するものの、レートマッチングに対して行うかどうかを表すフラグ情報（オン（ｏｎ）／オフ（ｏｆｆ））を伝送することもできる。
【０２６２】
さらに他の例として、端末は、衝突されるＹシンボル分だけＳＲＳ及び／またはＰＵＳＣＨシンボル位置を相手チャネル（例：ＳＲＳまたはＰＵＳＣＨ）の反対方向へ移動させ、移動させたシンボル数に対する情報をＰＵＳＣＨ及び／またはＰＵＣＣＨを介して報告（すなわち、フィードバック）できる。
【０２６３】
さらに他の例として、端末は、Ｙシンボルと衝突されるＰＵＳＣＨシンボルを穿孔して伝送することもできる。すなわち、端末は、Ｙシンボルと重なるＰＵＳＣＨシンボルを穿孔して、ＳＲＳ及びＰＵＳＣＨを伝送できる。この場合、端末は、基地局に対する追加的なフィードバック動作を行わなくても良い。
【０２６４】
本実施形態において上述したＹシンボル（すなわち、保護区間、ギャップシンボル）は、ＳＲＳとＰＵＳＣＨ及び／またはＰＵＣＣＨとの間に互いに異なって設定及び／またはシグナリングされることができる。前記ＰＵＣＣＨは、短いＰＵＣＣＨ（ｓｈｏｒｔ  ＰＵＣＣＨ、ｓＰＵＣＣＨ）（例：ＰＵＣＣＨフォーマット０、２）または長いＰＵＣＣＨ（ｌｏｎｇ  ＰＵＣＣＨ）（例：ＰＵＣＣＨフォーマット１、３、４）でありうる。また、Ｙシンボル（すなわち、保護区間、ギャップシンボル）は、ＵＬ帯域幅部分（ＢａｎｄＷｉｄｔｈ  Ｐａｒｔ、ＢＷＰ）ごとに互いに異なって指定されることもできる。
【０２６５】
（第２の実施形態）
【０２６６】
上述した第１の実施形態では、保護区間と他のアップリンク伝送（例：ＰＵＳＣＨ及び／またはＰＵＣＣＨ伝送）が衝突する（すなわち、重なる）場合に解決方案について述べた。
【０２６７】
参考として、ＮＲシステムでは、ＳＲＳ資源集合ごとに伝送タイミングが設定されることができる。すなわち、ＳＲＳ資源集合の間の衝突がＮＲシステムでは、追加的に考慮されうる。
【０２６８】
したがって、以下、本実施形態では、上述した保護区間とＳＲＳ資源集合（ＳＲＳ  ｒｅｓｏｕｒｃｅ  ｓｅｔ）（すなわち、ＳＲＳ資源）間の衝突が発生する場合、これを解決するための方法について具体的に説明する。
【０２６９】
方法１）
【０２７０】
上述したＹシンボルに対する設定は、ＳＲＳ資源集合別に設定され、このような設定は、上位層シグナリング（例：ＲＲＣシグナリング）を介して行われることができる。万が一、同じスロットにおいて互いに異なるＳＲＳ資源集合に属したＹシンボル（すなわち、保護区間、ギャップシンボル）とＳＲＳ資源との間に衝突が発生する場合、端末及び／または基地局は、次の方法のように動作できる。
【０２７１】
まず、端末は、ＳＲＳ資源集合らの間の衝突を期待しなくても良い。また、端末は、ＳＲＳ資源集合とＹシンボルとの間の衝突も期待しなくても良い。
【０２７２】
または、端末は、衝突されるＳＲＳ資源が含まれたＳＲＳ資源集合とＹシンボルが含まれたＳＲＳ間の優先順位規則に従って、基地局により設定されたＹシンボルをドロップすることもできる。前記優先順位規則を考慮して動作する具体的な方法について以下で説明する。
【０２７３】
まず、端末は、高い優先順位を有するＳＲＳ資源集合に含まれたＳＲＳ資源を該当スロットに割り当て、万が一、前記ＳＲＳ資源集合の設定（ｃｏｎｆｉｇｕｒａｔｉｏｎ）内にＹシンボル（すなわち、保護区間、ギャップシンボル）に対した設定が含まれる場合、該当シンボル、すなわち、Ｙシンボルを空けるように設定されることができる。したがって、同一スロットにおいて衝突する他のＳＲＳ資源集合のうち、より低い優先順位を有するＳＲＳ資源集合は、全部ドロップされるか、または前記ＳＲＳ資源集合内の衝突されるシンボルに該当するＳＲＳ資源（ら）だけがドロップされうる。
【０２７４】
また、（ＵＬ）スロット内で互いに異なるＳＲＳ資源集合に設定された特定ＳＲＳ資源とＹシンボルとの間に衝突がある場合、衝突されるＳＲＳ資源がＹシンボルと比較してより高い優先順位を有するか、衝突されるＳＲＳ資源が設定されたＳＲＳ資源集合がＹシンボルが設定されたＳＲＳ資源集合よりさらに高い優先順位を有する場合を仮定しよう。この場合、端末は、高い優先順位を有するＳＲＳ資源は割り当て、低い優先順位を有するＹシンボルだけをドロップするよう設定されることができる。または、端末は、低い優先順位を有するＳＲＳ資源集合に対してＹシンボルを含んだＳＲＳ資源集合全体をドロップすることもできる。または、端末は、低い優先順位を有するＹシンボルが含まれたＳＲＳグループ（すなわち、ＳＲＳ資源（ら）及びＹシンボル）をドロップすることもできる。
【０２７５】
また、非周期的ＳＲＳのトリガーが含まれたＤＣＩ（すなわち、非周期的ＳＲＳトリガーリングのためのＤＣＩ）の受信時点がより速いＳＲＳ資源集合に含まれたＳＲＳ資源は、より遅いＳＲＳ資源集合に属したＹシンボルよりさらに高い優先順位を有するように設定されることができる。または、これと反対に、非周期的ＳＲＳのトリガーが含まれたＤＣＩ（すなわち、非周期的ＳＲＳトリガーリングのためのＤＣＩ）の受信時点がより遅いＳＲＳ資源集合に含まれたＳＲＳ資源は、より速いＳＲＳ資源集合に属したＹシンボルよりさらに高い優先順位を有するように設定されることができる。
【０２７６】
また、非周期的ＳＲＳ資源集合に含まれたＳＲＳ資源が周期的及び／または半−持続的ＳＲＳ資源集合内に設定されたＹシンボルと衝突される場合、端末は、該当非周期的ＳＲＳ資源集合全体をドロップするか、またはＹシンボルと衝突するＳＲＳ資源シンボル（ら）だけをドロップすることもできる。または、非周期的ＳＲＳ資源集合に含まれたＹシンボルが周期的及び／または半−持続的ＳＲＳ資源集合内に設定されたＳＲＳ資源と衝突される場合、端末は、該当周期的及び／または半−持続的ＳＲＳ資源集合全体をドロップするか、またはＹシンボルと衝突するＳＲＳ資源シンボル（ら）だけをドロップすることもできる。
【０２７７】
また、ＳＲＳ資源集合用途（例：ＲＲＣパラメータＳＲＳ−ＳｅｔＵｓｅ、ｕｓａｇｅ）に応じてＹシンボルと各ＳＲＳ資源集合間の優先順位規則が定義されうる。例えば、優先順位規則が「アンテナスイッチングのためのＳＲＳ資源集合（すなわち、アンテナスイッチング基盤ＳＲＳ資源集合）のＹシンボル＞コードブックのためのＳＲＳ資源集合（すなわち、コードブック基盤ＳＲＳ資源集合）」に設定される場合を仮定しよう。この場合、アンテナスイッチングのためのＳＲＳ資源集合設定内のＹシンボルが高い優先順位を有するので、スロット内でアンテナスイッチングのためのＳＲＳ資源集合とコードブックのためのＳＲＳ資源集合が衝突する場合、端末は、コードブック基盤のためのＳＲＳ資源集合をドロップするか、または衝突が発生するシンボル（ら）だけをドロップすることもできる。
【０２７８】
方法１−１）
【０２７９】
ＳＲＳグループ（すなわち、ＳＲＳ資源グループ）は、ＳＲＳ資源（ら）のうち、一部または全て（例：Ｎ個のシンボル）とＹシンボル（例：Ｋ個のシンボル）の構成（すなわち、Ｎ＋Ｋ個のシンボル）で定義されうる。または、ＳＲＳグループ（すなわち、ＳＲＳ資源グループ）は、ＳＲＳ資源（ら）を含むＭ個のＳＲＳシンボルとＹシンボル（例：Ｋ個のシンボル）の構成（すなわち、Ｍ＋Ｋ個のシンボル）で定義されうる。
【０２８０】
また、ＳＲＳグループ内のＹシンボル及びＳＲＳ資源シンボルの位置は、［ＳＲＳ資源シンボルら（Ｎ）、Ｙシンボル（Ｋ）］の順に配置されるか、［Ｙシンボル（Ｋ）、ＳＲＳ資源シンボルら（Ｎ）］の順に配置されるか、または［ＳＲＳシンボル（Ｍ）、Ｙシンボル（Ｋ）］の順に配置されるか、または［Ｙシンボル（Ｋ）、ＳＲＳシンボル（Ｍ）］の順に配置されることができる。
【０２８１】
上述したようなＳＲＳグループは、連続するシンボルに対して定義されることができる。
【０２８２】
このとき、ＳＲＳグループ間の衝突が発生する場合に対する端末及び／または基地局の動作について説明する。以下の説明において優先順位に応じる端末の動作は、基地局により指示または設定されるか、システム上に予め定義されうる。
【０２８３】
まず、端末は、高い優先順位を有するＳＲＳグループをアップリンク伝送に割り当て、低い優先順位を有するＳＲＳグループ内に設定されたＹシンボルだけをドロップできる。または、端末は、低い優先順位を有するＳＲＳグループに対してＹシンボルを含んだＳＲＳグループ全体をドロップすることもできる。または、端末は、低い優先順位を有するＳＲＳグループ内のＹシンボルが設定されているＳＲＳ資源だけをドロップすることもできる。
【０２８４】
また、低い優先順位を有するＳＲＳグループ内のドロップ設定のために、次の例示のような動作が考慮されうる。
【０２８５】
例えば、ＳＲＳグループ内のドロップされるシンボル数（Ｌ＜Ｍ＋ＫまたはＬ＜Ｎ＋Ｋ）を表すパラメータが上位層シグナリングを介して設定されることができる。すなわち、基地局は、ＳＲＳグループ内でドロップされるシンボル数を表すパラメータ情報を上位層シグナリング（例：ＲＲＣシグナリング）を介して端末に送信できる。ＳＲＳグループ内のＹシンボルとＳＲＳ資源シンボル（ら）の位置に応じてドロップされるシンボルＬの順序が暗示的に定義されうる。具体的な例として、Ｌ＝２に設定される時、ドロップされるＳＲＳグループが１個のＹシンボル及び一つのＳＲＳ資源を表す４個のＳＲＳシンボルで構成される場合、端末は、ＳＲＳグループの開始シンボル（ｎ）から昇順に２シンボルまで（ｎ＋１）ドロップできる。または、一つのＳＲＳ資源を表す４個のＳＲＳシンボルの後に１シンボルギャップ（ｇａｐ）にドロップされるＳＲＳグループが設定される場合、端末は、ＳＲＳグループの最後のシンボル（ｎ）から降順に以前の２シンボル（ｎ−１）までドロップすることもできる。
【０２８６】
また、他の例として、ＳＲＳグループ内のドロップされるシンボル進行方向を表すフラグ情報（例：Ｄｒｏｐ＿ｏｒｄｅｒ＿ＳＲＳｒｅｓｏｕｒｃｅＧｒｏｕｐ）が上位層シグナリングを介して設定されることもできる。すなわち、基地局は、ＳＲＳグループ内でドロップされるシンボルの進行方向を表すフラグ情報を上位層シグナリングを介して端末に送信することもできる。具体的な例として、Ｄｒｏｐ＿ｏｒｄｅｒ＿ＳＲＳｒｅｓｏｕｒｃｅＧｒｏｕｐ＝０の場合、端末は、ＳＲＳグループを最初のシンボルから順次にドロップできる。反対に、Ｄｒｏｐ＿ｏｒｄｅｒ＿ＳＲＳｒｅｓｏｕｒｃｅＧｒｏｕｐ＝１の場合、端末は、ＳＲＳグループを最後のシンボルから順次にドロップできる。
【０２８７】
方法１−２）
【０２８８】
また、設定されたＳＲＳグループ（すなわち、ＳＲＳ資源グループ）は、端末のＰＵＣＣＨ及び／またはＰＵＳＣＨ資源関係、及び／またはＳＲＳ資源（及び／またはＳＲＳ資源集合）間の衝突によって再び設定されうる。ＳＲＳグループの構造に対する再設定は、基地局により設定されるか、または衝突時に端末により暗示的に設定されることもできる。
【０２８９】
基地局及び／または端末は、ＳＲＳグループの構造に対する再設定方法を上位層シグナリングを介して設定できる。または、ＳＲＳトリガーリング時点より速い時点にＰＵＳＣＨより高い優先順位を有するＰＵＣＣＨ設定（例：ＤＣＩ）が伝達される場合、該当ＤＣＩを介してＳＲＳグループの再設定動作に対する設定情報が伝送されることができる。または、端末は、ＳＲＳグループ構造に対する再設定を行い、変更されたＳＲＳグループ構造に対する情報を基地局に伝送（または報告）できる。
【０２９０】
このとき、ＰＵＳＣＨ領域に割り当てられるＳＲＳグループ内のＳＲＳ資源（ら）は、ドロップされうる。このような動作形態は、基地局及び／または端末間に予め定義、決定または約束されることができる。
【０２９１】
または、端末は、ＳＲＳグループの構造の変化を表す（ｒｅｐｒｅｓｅｎｔｉｎｇ）（または指示する（ｉｎｄｉｃａｔｉｎｇ））フィードバック情報をＰＵＳＣＨ及び／またはＰＵＣＣＨ等を介して基地局に伝送することもできる。変更されたＳＲＳグループに対する構造情報は、Ｙシンボルの位置、ＳＲＳ資源シンボルの位置などを含むことができる。また、ＳＲＳグループ構造に対する候補（ｃａｎｄｉｄａｔｅ）が上位層シグナリング（例：ＲＲＣシグナリング）を介して設定され、該当インデックスがアップリンク制御情報（ＵＣＩ）を介して伝送されることができる。
【０２９２】
図１６は、本明細書において提案する方法が適用されうるＰＵＳＣＨ伝送、ＰＵＣＣＨ伝送及びＳＲＳ伝送方法の一例を示す。図１６は、ただ説明の便宜のためのものに過ぎず、本発明の範囲を制限するものではない。
【０２９３】
図１６を参考すると、ＳＲＳ資源集合は、二つのＳＲＳ資源グループ（ＳＲＳ  ｒｅｓｏｕｒｃｅ ｇｒｏｕｐ ０及びＳＲＳ  ｒｅｓｏｕｒｃｅ ｇｒｏｕｐ １）で構成され、ヌメロロジー（すなわち、サブキャリア間隔）が１２０ｋＨｚであることに応じて、Ｙシンボル、すなわち、ギャップシンボルのシンボル数が２の場合が仮定される。
【０２９４】
また、ｋは、ＵＬグラントとＰＵＳＣＨ伝送間のタイミングオフセットを意味し、ｉは、ＳＲＳトリガーリングＤＣＩとＳＲＳ伝送間のタイミングオフセットを意味し、ｊは、ＰＵＣＣＨ伝送のためのＤＣＩ（例：ＡＣＫ／ＮＡＣＫ要請のためのＤＣＩ）とＰＵＣＣＨ伝送間のタイミングオフセットを意味できる。
【０２９５】
図１６の（ａ）に示されたように、端末は、ｎ時点（すなわち、ｎ番目のスロット）のＰＵＳＣＨ伝送のためのＵＬグラントを基地局から受信し、同じ時点のＳＲＳ伝送を指示する非周期的ＳＲＳトリガー（すなわち、非周期的ＳＲＳトリガーリングＤＣＩ）をｎ−ｋ＋ｉ時点（ｋ＞ｉ）に基地局から受信することができる。このとき、第１番目のＳＲＳグループ（すなわち、ＳＲＳ  ｒｅｓｏｕｒｃｅ  ｇｒｏｕｐ  ０）の構成は、Ｙシンボル（すなわち、ギャップシンボル）が＃６及び＃７シンボルインデックスである２個のシンボルに割り当てられ、＃８シンボルインデックスにＳＲＳ資源が割り当てられるように設定されることができる。また、類似の構造の第２番目のＳＲＳグループ（すなわち、ＳＲＳ  ｒｅｓｏｕｒｃｅ  ｇｒｏｕｐ  １）が第１番目のＳＲＳグループに連続して設定されることができる。前記第２番目のＳＲＳグループは、第１番目のＳＲＳグループと同様に２個のＹシンボル及び１個のＳＲＳ資源で構成され、スロット内でシンボルの位置だけが移動したことである。
【０２９６】
ただし、端末がｎ−ｋ＋ｉ＋ｊ時点（ｋ＞ｉ＋ｊ）においてＰＤＳＣＨ受信に対するＨＡＲＱ  ＡＣＫ／ＮＡＣＫ（Ａ／Ｎ）送信のためのＰＵＣＣＨ伝送のスケジューリングＤＣＩを受信して、同じｎ時点においてＰＵＣＣＨ伝送が要求される場合が発生できる。この場合、端末は、図１６の（ｂ）に示されたように、該当ＳＲＳグループの前／後をスイッチ（ｓｗｉｔｃｈ）できる。換言すれば、端末は、該当ＳＲＳグループのＳＲＳ資源を＃６シンボルインデックスに割り当て、Ｙシンボルを＃７及び＃８シンボルインデックスに割り当てて、ＰＵＳＣＨ、ＳＲＳ及び／またはＰＵＣＣＨ伝送を行うように設定されることができる。
【０２９７】
方法２）
【０２９８】
上述したように、ＹシンボルとＳＲＳ資源集合との間に衝突が発生する場合、衝突されたＳＲＳ資源集合は、次のスロット（すなわち、ＵＬスロット）、他のＳＲＳ伝送スロット、またはＫスロット以後に伝送されるように設定されることができる。例えば、ｎ番目のスロットにおいて衝突が発生する場合、端末は、ＳＲＳ資源をｎ＋Ｋ番目のスロットから送信するように設定されることができる。
【０２９９】
ここで、ＳＲＳ資源集合の伝送タイミングのためのパラメータ情報（例：前記Ｋ）は、基地局及び／または端末間に予め設定または定義されるか、または上位層シグナリング（例：ＲＲＣシグナリング）を介して設定されることもできる。
【０３００】
方法３）
【０３０１】
また、上述した方法２とは異なり、一つのスロット内で設定されたＳＲＳ資源集合（ら）のうち、Ｙシンボルに対する設定があるＳＲＳ資源集合（ら）のＹシンボルと他のＳＲＳ資源集合（ら）との間に衝突が発生する場合、端末は、該当Ｙシンボルが含まれたＳＲＳ資源集合を次のスロット（すなわち、ＵＬスロット）、次のＳＲＳ伝送スロット、またはＫスロット以後に伝送されるように設定されることができる。
【０３０２】
このとき、該当Ｙシンボル設定があるＳＲＳ資源集合の伝送タイミングのためのパラメータ情報（例：前記Ｋ）は、基地局及び／または端末間に予め設定または定義されるか、または上位層シグナリング（例：ＲＲＣシグナリング）を介して設定されることもできる。換言すれば、ＳＲＳ  ｓｅｔｔｉｎｇまたはＳＲＳ資源集合設定（ＳＲＳ  ｒｅｓｏｕｒｃｅ  ｓｅｔ  ｃｏｎｆｉｇｕｒａｔｉｏｎ）（例：ＳＲＳ−ＣｏｎｆｉｇのＳＲＳ  ｒｅｓｏｕｒｃｅ  ｓｅｔ）内で前記パラメータ情報が設定されることができる。
【０３０３】
上述した衝突によって次のスロットから伝送されるＳＲＳ資源集合の送信位置（すなわち、送信シンボル位置）は、上位層シグナリングを介して端末及び／または基地局に設定されることができる。
【０３０４】
また、衝突によって変更された（すなわち、移動した）ＳＲＳ資源集合が該当スロットにおいて再び他のチャネル及び／または信号（例：参照信号）（ら）と衝突される場合、端末は、ＳＲＳ資源集合全体をドロップするか、または衝突されるシンボルにおいてのみＳＲＳ伝送をドロップすることもできる。または、この場合、端末は、衝突されるＳＲＳ資源集合と他のチャネル及び／または信号（ら）間の優先順位規則に従って、アップリンク伝送を行うこともできる。一例として、ＳＲＳ資源集合が他のチャネル及び／または信号より優先順位が高い場合、端末は、ＳＲＳ伝送を行うことが（または割り当て）でき、反対にＳＲＳ資源集合が他のチャネル及び／または信号より優先順位が低い場合、端末は、ＳＲＳ伝送をドロップできる。または、端末は、衝突によって変更された（すなわち、移動した）ＳＲＳ資源集合と他のチャネル及び／または信号（ら）との間の衝突が発生することを期待しないように設定されることもできる。
【０３０５】
本明細書において提案する上述した方法を介して、ＵＬ送信（例：ＰＵＳＣＨ、ＰＵＣＣＨ等）時、アンテナスイッチング（ａｎｔｅｎｎａ  ｓｗｉｔｃｈｉｎｇ）に応じる歪み（ｄｉｓｔｏｒｔｉｏｎ）による性能劣化を減らすことができる効果がある。具体的に、ＮＲシステムにおいてＳＲＳのアンテナスイッチング時、ＳＲＳアンテナスイッチングに応じてＳＲＳ資源と前または後のシンボルに位置するＰＵＳＣＨまたはＰＵＣＣＨ間に端末伝送ビームの不一致（ｍｉｓｍａｔｃｈｉｎｇ）が発生する場合、これを防止するためのシンボル（すなわち、上述したＹシンボル）を效率的に設定できるという効果がある。
【０３０６】
図１７は、本明細書において提案する方法が適用されうる無線通信システムにおけるＳＲＳの伝送を行う端末の動作フローチャートの一例を示す。図１７は、ただ説明の便宜のためのものに過ぎず、本発明の範囲を制限するものではない。
【０３０７】
図１７を参考すると、端末及び／または基地局は、本明細書において上述した実施形態を上げる及び方法に基づいてＳＲＳを送受信する場合が仮定される。特に、該当端末及び／または基地局は、本明細書において提案する優先順位規則（例：表１０等）を考慮して、ＳＲＳ及び／またはＹシンボルと他のアップリンク伝送間の衝突を考慮して、ＳＲＳ伝送を行うことができる。
【０３０８】
まず、端末は、基地局から、前記ＳＲＳの伝送のための設定情報（例：ＳＲＳ＿Ｃｏｎｆｉｇ）を受信することができる（Ｓ１７０５）。一例として、前記設定情報は、ＳＲＳの伝送のための一つ以上のＳＲＳ資源及び一つ以上のＳＲＳ資源の用途（ｕｓａｇｅ）に対する情報を含むことができる。
【０３０９】
この後、端末は、基地局に、前記一つ以上の資源を利用してＳＲＳの伝送を行うことができる（Ｓ１７１０）。
【０３１０】
このとき、前記一つ以上のＳＲＳ資源と関連した保護区間（ｇｕｒａｄ  ｐｅｒｉｏｄ）（例：上述したＹシンボル）が設定されることができる。一例として、前記保護区間は、ＳＲＳ資源の間に設定されることができ、保護区間の位置は、基地局及び／または端末により設定可能でありうる。これにより、保護区間は、ＳＲＳ資源の間に位置することもでき、またはＳＲＳ資源と他のアップリンクチャネルの間に位置することもできる。
【０３１１】
前記保護区間と前記端末に対して設定された特定アップリンクチャネルの送信が重複（ｏｖｅｒｌａｐ）される場合、前記保護区間と前記特定アップリンクチャネルとの間の優先順位（例：上述した表１０）は、前記ＳＲＳと前記特定アップリンクチャネルとの間の優先順位（例：上述した表９）と同様に設定されることができる。一例として、上述したＹシンボルとＰＵＣＣＨ（特に、ｓＰＵＣＣＨ）との間の優先順位規則は、ＳＲＳとＰＵＣＣＨ（特に、ｓＰＵＣＣＨ）との間の優先順位規則に従うことができる。ここで、前記（ｓ）ＰＵＣＣＨは、ＣＳＩ報告またはビーム失敗復旧の要請のための（ｓ）ＰＵＣＣＨでありうる。（ｓ）ＰＵＣＣＨがビーム失敗復旧のために設定されたことである場合、前記（ｓ）ＰＵＣＣＨと重なるＳＲＳ資源及び保護区間はドロップされうる。
【０３１２】
また、前記用途がアンテナスイッチング（ａｎｔｅｎｎａ  ｓｗｉｔｃｈｉｎｇ）に設定された場合、前記保護区間は、前記アンテナスイッチングのために設定されることができる。
【０３１３】
また、前記保護区間のシンボル数は、前記ＳＲＳの伝送に対して設定されたサブキャリア間隔（すなわち、ヌメロロジー）を考慮して設定されることができる。一例として、Ｙシンボルは、ヌメロロジーに応じて１シンボルまたは２シンボルに設定されることができる。
【０３１４】
また、前記保護区間に対する設定情報は、上位層シグナリングなどを介してＳＲＳ資源集合別に設定されることができる。一例として、上述したように、前記保護区間に対する設定情報は、前記保護区間の開始位置インデックス（ｓｔａｒｔｉｎｇ  ｐｏｓｉｔｉｏｎ  ｉｎｄｅｘ）、前記保護区間のシンボル数及び／または前記ＳＲＳの伝送と隣接した他のアップリンクチャネルの伝送間に前記保護区間が設定されるかどうかを表す情報を含むことができる。
【０３１５】
また、前記保護区間が設定されない場合、前記端末は、前記保護区間以前のアップリンク伝送と前記保護区間以後のアップリンク伝送を同じ伝送ビーム（及び／またはアンテナポート）を利用して行うように設定されることができる。例えば、上述した図１３または図１４に示されたように、隣接したＰＵＳＣＨとＳＲＳの伝送には、同じ伝送ビーム
0006878694.tif 000078
が利用されることができる。この場合、上述した伝送ビームは、ＳＲＳ資源指示子（ＳＲＩ）及び／または送信プリコーダー行列指示子（ＴＰＭＩ）により指示されることができる。
【０３１６】
これと関連して、上述した端末の動作は、本明細書の図１９及び図２０に示された端末装置１９２０により具体的に具現化されることができる。例えば、上述した端末の動作は、プロセッサ１９２１、２０１０及び／またはＲＦユニット（またはモジュール）１９２３、２０３５により行われることができる。
【０３１７】
まず、プロセッサ１９２１、２０１０は、基地局１９１０から、前記ＳＲＳの伝送のための設定情報（例：ＳＲＳ＿Ｃｏｎｆｉｇ）を受信するようにＲＦユニット（またはモジュール）１９２３、２０３５を制御できる（Ｓ１７０５）。一例として、前記設定情報は、ＳＲＳの伝送のための一つ以上のＳＲＳ資源及び一つ以上のＳＲＳ資源の用途（ｕｓａｇｅ）に対する情報を含むことができる。
【０３１８】
この後、プロセッサ１９２１、２０１０は、基地局１９１０に、前記一つ以上の資源を利用してＳＲＳの伝送を行うようにＲＦユニット（またはモジュール）１９２３、２０３５を制御できる（Ｓ１７１０）。
【０３１９】
このとき、前記一つ以上のＳＲＳ資源と関連した保護区間（ｇｕｒａｄ  ｐｅｒｉｏｄ）（例：上述したＹシンボル）が設定されることができる。一例として、前記保護区間は、ＳＲＳ資源間に設定されることができ、保護区間の位置は、基地局及び／または端末により設定可能でありうる。これにより、保護区間は、ＳＲＳ資源の間に位置することもでき、またはＳＲＳ資源と他のアップリンクチャネルの間に位置することもできる。
【０３２０】
前記保護区間と前記端末に対して設定された特定アップリンクチャネルの送信が重複（ｏｖｅｒｌａｐ）される場合、前記保護区間と前記特定アップリンクチャネル間の優先順位（例：上述した表１０は、前記ＳＲＳと前記特定アップリンクチャネル間の優先順位（例：上述した表９）と同様に設定されることができる。一例として、上述したＹシンボルとＰＵＣＣＨ（特に、ｓＰＵＣＣＨ）間の優先順位規則は、ＳＲＳとＰＵＣＣＨ（特に、ｓＰＵＣＣＨ）間の優先順位規則に従うことができる。ここで、前記（ｓ）ＰＵＣＣＨは、ＣＳＩ報告またはビーム失敗復旧の要請のための（ｓ）ＰＵＣＣＨでありうる。（ｓ）ＰＵＣＣＨがビーム失敗復旧のために設定されたことである場合、前記（ｓ）ＰＵＣＣＨと重なるＳＲＳ資源及び保護区間はドロップされうる。
【０３２１】
また、前記用途がアンテナスイッチング（ａｎｔｅｎｎａ  ｓｗｉｔｃｈｉｎｇ）として設定された場合、前記保護区間は、前記アンテナスイッチングのために設定されることができる。
【０３２２】
また、前記保護区間のシンボル数は、前記ＳＲＳの伝送に対して設定されたサブキャリア間隔（すなわち、ヌメロロジー）を考慮して設定されることができる。一例として、Ｙシンボルは、ヌメロロジーに応じて１シンボルまたは２シンボルに設定されることができる。
【０３２３】
また、前記保護区間に対する設定情報は、上位層シグナリングなどを介してＳＲＳ資源集合別に設定されることができる。一例として、上述したように、前記保護区間に対する設定情報は、前記保護区間の開始位置インデックス（ｓｔａｒｔｉｎｇ  ｐｏｓｉｔｉｏｎ  ｉｎｄｅｘ）、前記保護区間のシンボル数及び／または前記ＳＲＳの伝送と隣接した他のアップリンクチャネルの伝送間に前記保護区間が設定されるかどうかを表す情報を含むことができる。
【０３２４】
また、前記保護区間が設定されない場合、前記端末は、前記保護区間以前のアップリンク伝送と前記保護区間以後のアップリンク伝送を同じ伝送ビーム（及び／またはアンテナポート）を利用して行うように設定されることができる。例えば、上述した図１３または図１４に示されたように、隣接したＰＵＳＣＨとＳＲＳの伝送には、同じ伝送ビーム
0006878694.tif 000079
が利用されることができる。この場合、上述した伝送ビームは、ＳＲＳ資源指示子（ＳＲＩ）及び／または送信プリコーダー行列指示子（ＴＰＭＩ）により指示されることができる。
【０３２５】
図１８は、本明細書において提案する方法が適用されうる無線通信システムにおいてＳＲＳの受信を行う基地局の動作フローチャートの一例を示す。図１８は、ただ説明の便宜のためのものに過ぎず、本発明の範囲を制限するものではない。
【０３２６】
図１８を参考すると、端末及び／または基地局は、本明細書において上述した実施形態及び方法に基づいてＳＲＳを送受信する場合が仮定される。特に、該当端末及び／または基地局は、本明細書において提案する優先順位規則（例：表１０等）を考慮して、ＳＲＳ及び／またはＹシンボルと他のアップリンク伝送間の衝突を考慮してＳＲＳ伝送を行うことができる。
【０３２７】
まず、基地局は、端末に、前記ＳＲＳの伝送のための設定情報（例：ＳＲＳ＿Ｃｏｎｆｉｇ）を送信できる（Ｓ１８０５）。一例として、前記設定情報は、ＳＲＳの伝送のための一つ以上のＳＲＳ資源及び一つ以上のＳＲＳ資源の用途（ｕｓａｇｅ）に対する情報を含むことができる。
【０３２８】
この後、基地局は、端末から、前記一つ以上の資源を利用してＳＲＳの受信を行うことができる（Ｓ１８１０）。
【０３２９】
このとき、前記一つ以上のＳＲＳ資源と関連した保護区間（ｇｕｒａｄ  ｐｅｒｉｏｄ）（例：上述したＹシンボル）が設定されることができる。一例として、前記保護区間は、ＳＲＳ資源間に設定されることができ、保護区間の位置は、基地局及び／または端末により設定可能でありえる。これにより、保護区間は、ＳＲＳ資源間に位置することもでき、またはＳＲＳ資源と他のアップリンクチャネルの間に位置することもできる。
【０３３０】
前記保護区間と前記端末に対して設定された特定アップリンクチャネルの送信が重複（ｏｖｅｒｌａｐ）される場合、前記保護区間と前記特定アップリンクチャネル間の優先順位（例：上述した表１０）は、前記ＳＲＳと前記特定アップリンクチャネル間の優先順位（例：上述した表９）と同様に設定されることができる。一例として、上述したＹシンボルとＰＵＣＣＨ（特に、ｓＰＵＣＣＨ）間の優先順位規則は、ＳＲＳとＰＵＣＣＨ（特に、ｓＰＵＣＣＨ）間の優先順位規則に従うことができる。ここで、前記（ｓ）ＰＵＣＣＨは、ＣＳＩ報告またはビーム失敗復旧の要請のための（ｓ）ＰＵＣＣＨでありうる。（ｓ）ＰＵＣＣＨがビーム失敗復旧のために設定されたことである場合、前記（ｓ）ＰＵＣＣＨと重なるＳＲＳ資源及び保護区間はドロップされうる。
【０３３１】
また、前記用途がアンテナスイッチング（ａｎｔｅｎｎａ  ｓｗｉｔｃｈｉｎｇ）として設定された場合、前記保護区間は、前記アンテナスイッチングのために設定されることができる。
【０３３２】
また、前記保護区間のシンボル数は、前記ＳＲＳの伝送に対して設定されたサブキャリア間隔（すなわち、ヌメロロジー）を考慮して設定されることができる。一例として、Ｙシンボルは、ヌメロロジーに応じて１シンボルまたは２シンボルに設定されることができる。
【０３３３】
また、前記保護区間に対する設定情報は、上位層シグナリングなどを介してＳＲＳ資源集合別に設定されることができる。一例として、上述したように、前記保護区間に対する設定情報は、前記保護区間の開始位置インデックス（ｓｔａｒｔｉｎｇ  ｐｏｓｉｔｉｏｎ  ｉｎｄｅｘ）、前記保護区間のシンボル数及び／または前記ＳＲＳの伝送と隣接した他のアップリンクチャネルの伝送間に前記保護区間が設定されるかどうかを表す情報を含むことができる。
【０３３４】
また、前記保護区間が設定されない場合、前記端末は、前記保護区間以前のアップリンク伝送と前記保護区間以後のアップリンク伝送を同じ伝送ビーム（及び／またはアンテナポート）を利用して行うように設定されることができる。例えば、上述した図１３または図１４に示されたように、隣接したＰＵＳＣＨとＳＲＳの伝送には、同じ伝送ビーム
0006878694.tif 000080
が利用されることができる。この場合、上述した伝送ビームは、ＳＲＳ資源指示子（ＳＲＩ）及び／または送信プリコーダー行列指示子（ＴＰＭＩ）により指示されることができる。
【０３３５】
これと関連して、上述した基地局の動作は、本明細書の図１９に示された基地局装置１９１０により具体的に具現化されることができる。例えば、上述した基地局の動作は、プロセッサ１９１１及び／またはＲＦユニット（またはモジュール）１９１３により行われることができる。
【０３３６】
まず、プロセッサ１９１１は、端末１９２０に、前記ＳＲＳの伝送のための設定情報（例：ＳＲＳ＿Ｃｏｎｆｉｇ）を送信するように、ＲＦユニット（またはモジュール）１９１３を制御できる（Ｓ１８０５）。一例として、前記設定情報は、ＳＲＳの伝送のための一つ以上のＳＲＳ資源及び一つ以上のＳＲＳ資源の用途（ｕｓａｇｅ）に対する情報を含むことができる。
【０３３７】
この後、プロセッサ１９１１は、端末１９２０から、前記一つ以上の資源を利用してＳＲＳの受信を行うように、ＲＦユニット（またはモジュール）１９１３を制御できる（Ｓ１８１０）。
【０３３８】
このとき、前記一つ以上のＳＲＳ資源と関連した保護区間（ｇｕｒａｄ  ｐｅｒｉｏｄ）（例：上述したＹシンボル）が設定されることができる。一例として、前記保護区間は、ＳＲＳ資源間に設定されることができ、保護区間の位置は、基地局及び／または端末により設定可能でありうる。これにより、保護区間は、ＳＲＳ資源の間に位置することもでき、またはＳＲＳ資源と他のアップリンクチャネルの間に位置することもできる。
【０３３９】
前記保護区間と前記端末に対して設定された特定アップリンクチャネルの伝送が重複（ｏｖｅｒｌａｐ）される場合、前記保護区間と前記特定アップリンクチャネル間の優先順位（例：上述した表１０）は、前記ＳＲＳと前記特定アップリンクチャネル間の優先順位（例：上述した表９）と同様に設定されることができる。一例として、上述したＹシンボルとＰＵＣＣＨ（特に、ｓＰＵＣＣＨ）間の優先順位規則は、ＳＲＳとＰＵＣＣＨ（特に、ｓＰＵＣＣＨ）間の優先順位規則に従うことができる。ここで、前記（ｓ）ＰＵＣＣＨは、ＣＳＩ報告またはビーム失敗復旧の要請のための（ｓ）ＰＵＣＣＨでありうる。（ｓ）ＰＵＣＣＨがビーム失敗復旧のために設定されたことである場合、前記（ｓ）ＰＵＣＣＨと重なるＳＲＳ資源及び保護区間はドロップされうる。
【０３４０】
また、前記用途がアンテナスイッチング（ａｎｔｅｎｎａ  ｓｗｉｔｃｈｉｎｇ）として設定された場合、前記保護区間は、前記アンテナスイッチングのために設定されることができる。
【０３４１】
また、前記保護区間のシンボル数は、前記ＳＲＳの伝送に対して設定されたサブキャリア間隔（すなわち、ヌメロロジー）を考慮して設定されることができる。一例として、Ｙシンボルは、ヌメロロジーに応じて１シンボルまたは２シンボルに設定されることができる。
【０３４２】
また、前記保護区間に対する設定情報は、上位層シグナリングなどを介してＳＲＳ資源集合別に設定されることができる。一例として、上述したように、前記保護区間に対する設定情報は、前記保護区間の開始位置インデックス（ｓｔａｒｔｉｎｇ  ｐｏｓｉｔｉｏｎ  ｉｎｄｅｘ）、前記保護区間のシンボル数及び／または前記ＳＲＳの伝送と隣接した他のアップリンクチャネルの伝送間に前記保護区間が設定されるかどうかを表す情報を含むことができる。
【０３４３】
また、前記保護区間が設定されない場合、前記端末は、前記保護区間以前のアップリンク伝送と前記保護区間以後のアップリンク伝送を同じ伝送ビーム（及び／またはアンテナポート）を利用して行うように設定されることができる。例えば、上述した図１３または図１４に示されたように、隣接したＰＵＳＣＨとＳＲＳの伝送には、同じ伝送ビーム
0006878694.tif 000081
が利用されることができる。この場合、上述した伝送ビームは、ＳＲＳ資源指示子（ＳＲＩ）及び／または送信プリコーダー行列指示子（ＴＰＭＩ）により指示されることができる。
【０３４４】
本明細書において提案する動作は、ＳＲＳ伝送に対してＣＣ（Ｃｏｍｐｏｎｅｎｔ  Ｃａｒｒｉｅｒ）ホッピング（ｈｏｐｐｉｎｇ）が行われて、互いに異なるＣＣ、特に、ｉｎｔｒａ−ｂａｎｄＣＣから設定されたＳＲＳ資源集合及び／または他のアップリンク伝送（例：ＰＵＳＣＨ、ＰＵＣＣＨ）とＹシンボル（すなわち、ギャップシンボル）間の衝突の場合にも同様に適用されることができる。
【０３４５】
また、本明細書において提案する方法を適用する時、各方法が単独に適用されるか、または方法が互いに組合わせられて適用されうることはもちろんである。
【０３４６】
また、本明細書において提案する方法は、説明の便宜のために３ＧＰＰ  ＬＴＥシステム及びＮＲシステムに基づいて説明されたが、方法が適用されるシステムの範囲は、３ＧＰＰ  ＬＴＥシステム及びＮＲシステムの他に他のシステム（例：ＵＴＲＡ等）、特に５Ｇ及びその候補技術にも拡張されうることはもちろんである。
【０３４７】
本発明が適用されることができる装置一般
【０３４８】
図１９は、本明細書において提案する方法が適用されうる無線通信装置のブロック構成図を例示する。
【０３４９】
図１９を参照すると、無線通信システムは、基地局１９１０と基地局１９１０の領域内に位置した多数の端末１９２０を含む。
【０３５０】
基地局１９１０は、プロセッサ（ｐｒｏｃｅｓｓｏｒ）１９１１、メモリ（ｍｅｍｏｒｙ）１９１２及びＲＦ部（ｒａｄｉｏ  ｆｒｅｑｕｅｎｃｙ  ｕｎｉｔ）１９１３を含む。プロセッサ１９１１は、先の図１ないし図１８において提案された機能、過程及び／または方法を具現する。無線インターフェスプロトコルの層は、プロセッサ１９１１により具現化されることができる。メモリ１９１２は、プロセッサ１９１１に接続されて、プロセッサ１９１１を駆動するための多様な情報を格納する。ＲＦ部１９１３は、プロセッサ１９１１に接続されて、無線信号を送信及び／または受信する。
【０３５１】
端末１９２０は、プロセッサ１９２１、メモリ１９２２及びＲＦ部１９２３を含む。
【０３５２】
プロセッサ１９２１は、先に図１ないし図１８において提案された機能、過程及び／または方法を具現する。無線インターフェスプロトコルの層は、プロセッサ１９２１により具現化されることができる。メモリ１９２２は、プロセッサ１９２１に接続されて、プロセッサ１９２１を駆動するための多様な情報を格納する。ＲＦ部１９２３は、プロセッサ１９２１に接続されて、無線信号を送信及び／または受信する。
【０３５３】
メモリ１９１２、１９２２は、プロセッサ１９１１、１９２１の内部または外部にあることができ、周知の多様な手段によりプロセッサ１９１１、１９２１に接続されることができる。
【０３５４】
一例として、低遅延（ｌｏｗ  ｌａｔｅｎｃｙ）サービスを支援する無線通信システムにおいてダウンリンクデータ（ＤＬ  ｄａｔａ）を送受信するために、端末は、無線信号を送受信するためのＲＦ（Ｒａｄｉｏ  Ｆｒｅｑｕｅｎｃｙ）ユニット、及び前記ＲＦユニットと機能的に接続されるプロセッサを含むことができる。
また、基地局１９１０及び／または端末１９２０は、一個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０３５５】
図２０は、本発明の一実施形態による通信装置のブロック構成図を例示する。
【０３５６】
特に、図２０では、先の図１９の端末をさらに詳細に例示する図である。
【０３５７】
図２０を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）２０１０、ＲＦモジュール（ＲＦ  ｍｏｄｕｌｅ）（またはＲＦユニット）２０３５、パワー管理モジュール（ｐｏｗｅｒ  ｍａｎａｇｅｍｅｎｔ  ｍｏｄｕｌｅ）２００５、アンテナ（ａｎｔｅｎｎａ）２０４０、バッテリー（ｂａｔｔｅｒｙ）２０５５、ディスプレイ（ｄｉｓｐｌａｙ）２０１５、キーパッド（ｋｅｙｐａｄ）２０２０、メモリ（ｍｅｍｏｒｙ）２０３０、シムカード（ＳＩＭ（Ｓｕｂｓｃｒｉｂｅｒ  Ｉｄｅｎｔｉｆｉｃａｔｉｏｎ  Ｍｏｄｕｌｅ  ｃａｒｄ）２０２５（この構成は選択的である）、スピーカー（ｓｐｅａｋｅｒ）２０４５及びマイクロホン（ｍｉｃｒｏｐｈｏｎｅ）２０５０を含んで構成されることができる。端末はまた単一のアンテナまたは多重のアンテナを含むことができる。
【０３５８】
プロセッサ２０１０は、先の図１ないし図１８において提案された機能、過程及び／または方法を具現する。無線インターフェスプロトコルの層は、プロセッサ２０１０により具現化されることができる。
【０３５９】
メモリ２０３０は、プロセッサ２０１０に接続され、プロセッサ２０１０の動作と関連した情報を格納する。メモリ２０３０は、プロセッサ２０１０の内部または外部にありえ、周知の多様な手段によりプロセッサ２０１０に接続されることができる。
【０３６０】
ユーザは、例えば、キーパッド２０２０のボタンを押すか（あるいはタッチするか）、またはマイクロホン２０５０を利用した音声駆動（ｖｏｉｃｅ  ａｃｔｉｖａｔｉｏｎ）により電話番号などのような命令情報を入力する。プロセッサ２０１０は、このような命令情報を受信し、電話番号に電話をかける等、適切な機能を行うように処理する。駆動上のデータ（ｏｐｅｒａｔｉｏｎａｌ  ｄａｔａ）は、シムカード２０２５またはメモリ２０３０から抽出できる。また、プロセッサ２０１０は、ユーザが認知し、また便宜のために命令情報または駆動情報をディスプレイ２０１５上にディスプレイできる。
【０３６１】
ＲＦモジュール２０３５は、プロセッサ２０１０に接続されて、ＲＦ信号を送信及び／または受信する。プロセッサ２０１０は、通信を開始するために、例えば、音声通信データを構成する無線信号を送信するように命令情報をＲＦモジュール２０３５に伝達する。ＲＦモジュール２０３５は、無線信号を受信及び送信するために受信機（ｒｅｃｅｉｖｅｒ）及び伝送機（ｔｒａｎｓｍｉｔｔｅｒ）で構成される。アンテナ２０４０は、無線信号を送信及び受信する機能を果たす。無線信号を受信する時、ＲＦモジュール２０３５は、プロセッサ２０１０により処理するために信号を伝達し、基底帯域に信号を変換できる。処理された信号は、スピーカー２０４５を介して出力される可聴または可読情報に変換されることができる。
【０３６２】
図２１は、本明細書において提案する方法が適用されうる無線通信装置のＲＦモジュールの一例を示した図である。
【０３６３】
具体的に、図２１は、ＦＤＤ（Ｆｒｅｑｕｅｎｃｙ  Ｄｉｖｉｓｉｏｎ  Ｄｕｐｌｅｘ）システムにおいて具現されうるＲＦモジュールの一例を示す。
【０３６４】
まず、送信経路において、図１９及び図２０において述べられたプロセッサは、伝送されるデータをプロセシングしてアナログ出力信号を送信機２１１０に提供する。
【０３６５】
送信機２１１０内で、アナログ出力信号は、デジタル−対−アナログ変換（ＡＤＣ）により引き起こされるイメージを除去するために、低域通過フィルタ（Ｌｏｗ  Ｐａｓｓ  Ｆｉｌｔｅｒ、ＬＰＦ）２１１１によりフィルタリングされ、上向き変換器（Ｍｉｘｅｒ）２１１２によりベースバンドからＲＦに上向き変換され、可変利得増幅器（Ｖａｒｉａｂｌｅ  Ｇａｉｎ  Ａｍｐｌｉｆｉｅｒ、ＶＧＡ）２１１３により増幅され、増幅された信号は、フィルタ２１１４によりフィルタリングされ、電力増幅器（Ｐｏｗｅｒ  Ａｍｐｌｉｆｉｅｒ、ＰＡ）２１１５によりさらに増幅され、送受切換器（ら）２１５０／アンテナスイッチ（ら）２１６０を介してルーチングされ、アンテナ２１７０を介して伝送される。
【０３６６】
また、受信経路において、アンテナは、外部から信号を受信して受信された信号を提供し、この信号は、アンテナスイッチ（ら）２１６０／送受切換器２１５０を介してルーチングされ、受信機２１２０に提供される。
【０３６７】
受信機２１２０内で、受信された信号は、低雑音増幅器（Ｌｏｗ  Ｎｏｉｓｅ  Ａｍｐｌｉｆｉｅｒ、ＬＮＡ）２１２３により増幅され、帯域通過フィルタ２１２４によりフィルタリングされ、下向き変換器（Ｍｉｘｅｒ）２１２５によりＲＦからベースバンドに下向き変換される。
【０３６８】
前記下向き変換される信号は、低域通過フィルタ（ＬＰＦ、２１２６）によりフィルタリングされ、ＶＧＡ２１２７により増幅されてアナログ入力信号を獲得し、これは、図１９及び図２０において述べられたプロセッサに提供される。
【０３６９】
また、ローカルオシレ−タ（ｌｏｃａｌ  ｏｓｃｉｌｌａｔｏｒ、ＬＯ）発生器２１４０は、送信及び受信ＬＯ信号を発生及び上向き変換器２１１２及び下向き変換器２１２５にそれぞれ提供する。
【０３７０】
また、位相締付ループ（Ｐｈａｓｅ  Ｌｏｃｋｅｄ  Ｌｏｏｐ、ＰＬＬ）２１３０は、適切な周波数において送信及び受信ＬＯ信号を生成するために、プロセッサから制御情報を受信し、制御信号をＬＯ発生器２１４０に提供する。
【０３７１】
また、図２１に示す回路は、図２１に示す構成と異なって配列されうる。
【０３７２】
図２２は、本明細書において提案する方法が適用されうる無線通信装置のＲＦモジュールのさらに他の一例を示した図である。
【０３７３】
具体的に、図２２は、ＴＤＤ（Ｔｉｍｅ  Ｄｉｖｉｓｉｏｎ  Ｄｕｐｌｅｘ）システムにおいて具現されうるＲＦモジュールの一例を示す。
【０３７４】
ＴＤＤシステムでのＲＦモジュールの送信機２２１０及び受信機２２２０は、ＦＤＤシステムでのＲＦモジュールの送信機及び受信機の構造と同一である。
【０３７５】
以下、ＴＤＤシステムのＲＦモジュールは、ＦＤＤシステムのＲＦモジュールと差が出る構造に対してのみ述べることにし、同じ構造に対しては、図１７の説明を参照する。
【０３７６】
送信機の電力増幅器（Ｐｏｗｅｒ  Ａｍｐｌｉｆｉｅｒ、ＰＡ）２２１５により増幅された信号は、バンド選択スイッチ（Ｂａｎｄ  Ｓｅｌｅｃｔ  Ｓｗｉｔｃｈ）２２５０、バンド通過フィルタ（ＢＰＦ）２２６０及びアンテナスイッチ（ら）２２７０を介してルーチングされ、アンテナ２２８０を介して伝送される。
【０３７７】
また、受信経路において、アンテナは、外部から信号を受信して受信された信号を提供し、この信号は、アンテナスイッチ（ら）２２７０、バンド通過フィルタ２２６０及びバンド選択スイッチ２２５０を介してルーチングされ、受信機２２２０に提供される。
【０３７８】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０３７９】
本発明に従う実施形態は、多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより具現できる。
【０３８０】
ファームウエアやソフトウェアによる具現の場合、本発明の一実施形態は以上で説明された機能または動作を行うモジュール、手続、関数などの形態に具現できる。ソフトウェアコードはメモリに貯蔵されてプロセッサにより駆動できる。前記メモリは前記プロセッサの内部または外部に位置し、既に公知された多様な手段により前記プロセッサとデータをやり取りすることができる。
【０３８１】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３８２】
本発明の無線通信システムにおけるサウンディング参照信号を送受信する方案は、３ＧＰＰ  ＬＴＥ／ＬＴＥ−Ａシステム、５Ｇシステム（Ｎｅｗ  ＲＡＴシステム）に適用される例を中心に説明したが、その他にも多様な無線通信システムに適用することが可能である。
【図１】
0006878694.tif 000082
【図２】
0006878694.tif 000083
【図３】
0006878694.tif 000084
【図４】
0006878694.tif 000085
【図５】
0006878694.tif 000086
【図６】
0006878694.tif 000087
【図７】
0006878694.tif 000088
【図８】
0006878694.tif 000089
【図９】
0006878694.tif 000090
【図１０】
0006878694.tif 000091
【図１１】
0006878694.tif 000092
【図１２】
0006878694.tif 000093
【図１３】
0006878694.tif 000094
【図１４】
0006878694.tif 000095
【図１５（ａ）】
0006878694.tif 000096
【図１５（ｂ）】
0006878694.tif 000097
【図１６（ａ）】
0006878694.tif 000098
【図１６（ｂ）】
0006878694.tif 000099
【図１７】
0006878694.tif 000100
【図１８】
0006878694.tif 000101
【図１９】
0006878694.tif 000102
【図２０】
0006878694.tif 000103
【図２１】
0006878694.tif 000104
【図２２】
0006878694.tif 000105